(57)【要約】複数対の信号コンタクトが筐体に配設されたコネクタであって、基板の配線設計及び配線形成作業が容易なコネクタである。複数対の信号コンタクトの各対を構成する２つの信号コンタクトは、該筐体の長手方向に離間して配置されている。この配置により、２つの信号コンタクト間に良好なカップリングが形成され、位相差を生じることなく信号を平衡伝送することができる。また、対となる信号コンタクトに接続される配線基板の配線を容易に同一長さとすることができ、余分な配線部分を設ける必要がなく、基板の配線設計及び配線形成作業が容易となる。
2003065512.tif 000002
【特許請求の範囲】
【請求項１】
複数対の信号コンタクトが筐体に配設されたコネクタにおいて、
該複数対の信号コンタクトの各対を構成する２つの信号コンタクトは、該筐体の長手方向に離間して配置されてなることを特徴とするコネクタ。
【請求項２】
前記複数対の信号コンタクトは、屈折した先端部を基板のパッドに当接する表面実装タイプであり、該先端部の屈折方向が該複数対の信号コンタクトの全てについて同一方向に平行であることを特徴とする請求項１記載のコネクタ。
【請求項３】
前記複数対の信号コンタクトは、該筐体の短手方向に複数列配列されてなることを特徴とする請求項１記載のコネクタ。
【請求項４】
前記複数対の信号コンタクトの隣り合う各対間に列内用グランドコンタクトが更に配設されてなることを特徴とする請求項１〜３のいずれか一項に記載のコネクタ。
【請求項５】
前記列内用グランドコンタクトは、前記複数対の信号コンタクトの隣り合う各対間を遮蔽する大きさに形成されてなることを特徴とする請求項４記載のコネクタ。
【請求項６】
前記複数列配列された複数対の信号コンタクトの各列間に列間用グランドコンタクトが更に配設されてなることを特徴とする請求項３記載のコネクタ。
【請求項７】
前記列間用グランドコンタクトは、前記筐体内に露出する部分が平板状に形成されるとともに、該筐体の長手方向の長さが前記複数対の信号コンタクトの各対を構成する２つの信号コンタクトの離間間隔よりも大きく形成されてなることを特徴とする請求項６記載のコネクタ。
【請求項８】
前記筐体に遮蔽シールド層が形成されてなることを特徴とする請求項１〜７のいずれか一項に記載のコネクタ。
【請求項９】
前記複数対の信号コンタクトの各対は、平衡伝送用であることを特徴とする請求項１〜８のいずれか一項に記載のコネクタ。
【請求項１０】
２列に配置された複数の信号コンタクトと、各列において当該複数の信号コンタクトを２個ずつ対となるように区分けする複数のグランドコンタクトとを有し、対となる信号コンタクトは全長にわたり隣接して配置されていることを特徴とするコネクタ。
【請求項１１】
一方の列を形成する複数対の信号コンタクトの基板側コンタクト部と、他方の列を形成する複数対の信号コンタクトの基板側コンタクト部とは、逆方向に延びていることを特徴とする請求項１０記載のコネクタ。
【請求項１２】
一方の列を形成する複数対の信号コンタクトの基板側コンタクト部と、他方の列を形成する複数対の信号コンタクトの基板側コンタクト部とは対向し、かつ同一方向に延びていることを特徴とする請求項１０記載のコネクタ。
【請求項１３】
隣接するグランドコンタクトの間には、一方の列にある１対の信号コンタクトと他方の列にある１対の信号コンタクトが位置していることを特徴とする請求項１０記載のコネクタ。
【請求項１４】
隣接するグランドコンタクトの間には、一方の列にある１対の信号コンタクトと、絶縁部材を介して対向する他方の列にある１対の信号コンタクトが位置していることを特徴とする請求項１０記載のコネクタ。
【請求項１５】
隣接するグランドコンタクトの間には、一方の列にある１対の信号コンタクトと、空間を介して対向する他方の列にある１対の信号コンタクトが位置していることを特徴とする請求項１０記載のコネクタ。
【請求項１６】
前記複数のグランドコンタクトの各々は板状であって、各列に共通に設けられていることを特徴とする請求項１０記載のコネクタ。
【請求項１７】
前記複数のグランドコンタクトの各々は各列に共通に設けられており、かつ対向する先端部を有することを特徴とする請求項１０記載のコネクタ。
【請求項１８】
前記複数のグランドコンタクトは各々１対のコンタクト部を有し、一方のコンタクト部は一方の列を構成する複数対の信号コンタクトの基板側コンタクト部とともに一列に配置され、他方のコンタクト部は他方の列を構成する複数対の信号コンタクトの基板側コンタクト部とともに一列に配置されていることを特徴とする請求項１０記載のコネクタ。
【請求項１９】
相手方コネクタに接続する前記複数の信号コンタクトの部分と、基板側の部分とは、直交する方向に延出していることを特徴とする請求項１０記載のコネクタ。
【請求項２０】
相手方コネクタに接続する前記複数の信号コンタクトの部分と、基板側の部分とは、逆向きの方向に延出していることを特徴とする請求項１０記載のコネクタ。
【請求項２１】
前記２列に配置された複数の信号コンタクトは、コネクタの長手方向に離間して配列されていることを特徴とする請求項１０記載のコネクタ。
【請求項２２】
前記コネクタは更に、各列に設けられた複数の別の信号コンタクトを有し、各列において当該複数の別の信号コンタクトは、前記グランドコンタクトを介することなく離間して配置されていることを特徴とする請求項１０ないし２１のいずれか一項記載のコネクタ。
【請求項２３】
配線基板と該配線基板上に実装されたコネクタとを有し、該コネクタは請求項１０ないし２２のいずれか一項記載のコネクタであることを特徴とする電子装置。
【発明の詳細な説明】
技術分野
本発明は、電算機、サーバー、ルータ等に使用されるコネクタに関し、一層詳細には、対になった信号コンタクトを有し、特に平衡伝送用に好適なコネクタに関する。
背景技術
近年、電算機及びそのネットワークの発達に伴い、大量のデータを伝送することが求められている。特に、動画像の場合、例えば、１Ｇｂｉｔ／ｓ以上の高速度で伝送する必要がある。
このようなデータの伝送方式としては、従来、コストメリットの点から不平衡伝送方式が広く採用されている。しかしながら、不平衡伝送方式は、ノイズの影響を受けやすいという問題がある。このため、上記のような高速伝送用としては、ノイズに強い平衡伝送方式が好適である。
平衡伝送方式のコネクタ装置として、従来、例えば、図１Ａ、図１Ｂに示すものが用いられている。図１Ａに示すコネクタ装置は、ジャック用コネクタ１とプラグ用コネクタ２が対になって構成されている。
ジャック用コネクタ１は、図１Ａ中のＸ１−Ｘ２方向に長尺に形成された絶縁体材料からなるハウジング３ａに、対になる信号コンタクト４ａ、４ｂとグランドコンタクト５ａが複数組配設されている。
ハウジング３ａはＸ１−Ｘ２方向に長尺な凹部６ａが形成されている。各対の信号コンタクト４ａ、４ｂは、ハウジング３ａの底壁部３ａ−１からその凹部６ａ内に側壁部３ａ−２、３ａ−３に沿って上端部４ａ−１、４ｂ−１がＺ１方向に突設されており、各対毎にＹ１−Ｙ２方向に対向して配置されている。各対の信号コンタクト４ａ、４ｂの間には、フォーク状の先端部５ａ−１を有するグランドコンタクト５ａが配置されている。
信号コンタクト４ａ、４ｂ及びグランドコンタクト５ａの下端部４ａ−２、４ｂ−２、５ａ−２（参照符号５ａ−２は図示せず。）は、それぞれＺ２方向に延出するピン状に形成されており、基板８ａに形成された孔部７ａに挿通されて、基板８ａ上の図示しないプリント配線に接続される。
プラグ用コネクタ２は、ジャック用コネクタ１に対応した形状を有し、図１Ｂ中のＸ１−Ｘ２方向に長尺に形成された絶縁体材料からなるハウジング３ｂに対となる信号コンタクト４ｃ、４ｄとグランドコンタクト５ｂが複数組配設されている。
ハウジング３ｂは、形成された凹部６ｂにＸ１−Ｘ２方向に所定のピッチで突設部３ｂ−１が形成されている。各対の信号コンタクト４ｃ、４ｄは、ハウジング３ｂの底壁部３ｂ−２からその突設部３ｂ−１のＹ１−Ｙ２方向両側に沿ってピン状の上端部４ｃ−１、４ｄ−１が突設されている。信号コンタクト４ｃ、４ｄの隣り合う各対間には、平板状の先端部５ｂ−１を有するグランドコンタクト５ｂが配置されている。
信号コンタクト４ｃ、４ｄ及びグランドコンタクト５ｂの下端部４ｃ−２、４ｄ−２、５ｂ−２（図に現われない）は、それぞれ図１Ｂ中Ｙ１−Ｙ２に屈折して先端部が舌片状に形成されており、その先端部が基板８ｂに形成された図示しないパッドに固定され、基板８ｂ上の図示しないプリント配線に接続される。
ジャック用コネクタ１にプラグ用コネクタ２が接続されることにより、信号コンタクト４ａ、４ｂに信号コンタクト４ｃ、４ｄが当接し、グランドコンタクト５ａにグランドコンタクト５ｂが挟持され、それぞれ電気的に接続される。この場合、例えば、信号コンタクト４ａ、４ｃに＋信号が伝送され、信号コンタクト４ｂ、４ｄに−信号が伝送される。
しかしながら、上記した従来のコネクタ装置の場合、対となる下端部４ｃ−２と４ｄ−２は互いに逆方向に延出しているため、これらのカップリングがなくなってしまい、良好な平衡伝送が行えないという問題点がある。
また、ハウジング３ａ、３ｂの長尺な両壁部のいずれか一方向側（図１Ｂ中、Ｙ１側又はＹ２側）から配線の一端を引き出して一方向側の延長上の所定の位置に設けられた端子部等に配線の他端を接続するように配線パターンを基板上に形成すると、各対の信号コンタクトのいずれか一方が端子部等から遠い位置にあるため、端子部等と各対の信号コンタクトの双方との間に同一長さの配線を設けることができない。この配線長の違いは平衡伝送される各対の信号コンタクトの信号に位相差を生じ、ノイズ発生の一因となり、特性インピーダンスを不安定な状態にするおそれがある。
従って、ノイズの発生を防止し、特性インピーダンスを安定にするために、端子部等から近い位置にある信号コンタクトに接続される配線の長さを、端子部等から遠い位置にある信号コンタクトに接続される配線の長さと同じ長さに形成することが行われている。
しかしながら、このように配線に無駄な部分を設けること、言いかえれば、余長を形成することは、基板の配線設計及び配線形成作業を煩雑にする。
発明の開示
本発明は、上記の課題に鑑みてなされたものであり、複数対の信号コンタクトが筐体に配設されたコネクタにおいて、基板の配線設計及び配線形成作業が容易なコネクタを提供することを目的とする。
本発明に係るコネクタは、複数対の信号コンタクトが筐体に配設されたコネクタにおいて、該複数対の信号コンタクトの各対を構成する２つの信号コンタクトは、該筐体の長手方向に離間して配置されてなることを特徴とする。これにより、基板にコネクタを実装する場合に、筐体の長手方向と直角な方向に位置する端子部等と信号コンタクトの間を接続するとき、各対の信号コンタクトのそれぞれと端子部等とを接続する１対の配線の長さを同一にすることができるため、余分な配線部分を設ける必要がなく、基板の配線設計及び配線形成作業が容易である。
ここで、コネクタは、ジャック用であってもよく、また、プラグ用であってもよい。また、この場合、前記複数対の信号コンタクトは、屈折した先端部を基板のパッドに当接する表面実装タイプであり、該先端部の屈折方向が該複数対の信号コンタクトの全てについて同一方向に平行であると、上記本発明の効果を一層奏することができるが、これに限らず、信号コンタクトは、ピン状の先端部を基板のスルーホールに挿通するタイプであってもよい。この場合、前記複数対の信号コンタクトを、該筐体の短手方向に複数列配列すると、列数に応じて多数配設される基板の配線設計及び配線形成作業において、本発明の効果を一層奏することができる。
また、本発明に係るコネクタにおいて、前記複数対の信号コンタクトの隣り合う各対間に列内用グランドコンタクトを更に配設するようにしてもよい。これにより、複数対の信号コンタクトの隣り合う各対間のクロストークを軽減することができる。この列内用グランドコンタクトは例えば、前記複数対の信号コンタクトの隣り合う各対間を遮蔽する大きさに形成されている。
また、本発明に係るコネクタにおいて、前記複数列配列された複数対の信号コンタクトの各列間に列間用グランドコンタクトを更に配設した場合には、複数対の信号コンタクトの列間のクロストークを軽減することができる。この列間用グランドコンタクトは例えば、前記筐体内に露出する部分が平板状に形成されるとともに、該筐体の長手方向の長さが前記複数対の信号コンタクトの各対を構成する２つの信号コンタクトの離間間隔よりも大きく形成される。
また、本発明に係るコネクタにおいて、前記筐体に遮蔽シールド層を設けた場合には、外部からの電磁波をシールドすることができて好適である。
また、本発明に係るコネクタにおいて、前記複数対の信号コンタクトの各々は、平衡伝送される各対の信号コンタクトのノイズの発生を防止し、高速信号伝送時においても特性インピーダンスの安定を図ることができる。
また、本発明は２列に配置された複数の信号コンタクトと、各列において当該複数の信号コンタクトを２個ずつ対となるように区分けする複数のグランドコンタクトとを有し、対となる信号コンタクトは全長にわたり隣接して配置されていることを特徴とするコネクタである。対をなす信号コンタクトの全長にわたり隣接して配置されているため、信号コンタクトのどの部分であってもカップリングが形成され、良好な平衡伝送が実現できる。また、基板にコネクタを実装する場合に、対となる信号コンタクトは隣接しているため、１対の信号コンタクトのそれぞれと基板上の端子部等とを接続する１対の配線の長さを同一にすることができる。よって、基板上に余分な配線部分を設ける必要がなく、基板の配線設計及び配線形成作業が容易である。
例えば、上記構成において、一方の列を形成する複数対の信号コンタクトの基板側コンタクト部と、他方の列を形成する複数対の信号コンタクトの基板側コンタクト部とは、逆方向に延びている。これにより、対をなす信号コンタクトが隣接して配置された状態で互いに異なる方向に延出しているため、良好な平衡伝送を高密度で実現することができる。
例えば、上記構成において、一方の列を形成する複数対の信号コンタクトの基板側コンタクト部と、他方の列を形成する複数対の信号コンタクトの基板側コンタクト部とは対向し、かつ同一方向に延びている。これにより、対をなす信号コンタクトを隣接した状態で基板の対向する２面上に配置できるため、良好な平衡伝送を高密度で実現することができる。
例えば、上記構成において、隣接するグランドコンタクトの間には、一方の列にある１対の信号コンタクトと他方の列にある１対の信号コンタクトが位置している。これにより、各列において、隣接する信号コンタクト対を良好に遮蔽することができる。
例えば、上記構成において、隣接するグランドコンタクトの間には、一方の列にある１対の信号コンタクトと、絶縁部材を介して対向する他方の列にある１対の信号コンタクトが位置している。これにより、いわゆるプラグ用のコネクタを実現することができる。
例えば、上記構成において、隣接するグランドコンタクトの間には、一方の列にある１対の信号コンタクトと、空間を介して対向する他方の列にある１対の信号コンタクトが位置している。これにより、いわゆるジャック用のコネクタを実現することができる。
例えば、上記構成において、前記複数のグランドコンタクトの各々は板状であって、各列に共通に設けられている。これはグランドコンタクトの一構成例である。
例えば、上記構成において、前記複数のグランドコンタクトの各々は各列に共通に設けられており、かつ対向する２つの基板側コンタクト部を有する。グランドコンタクトを信号コンタクトと同様にして基板側へ引き出す一構成を実現することができる。
例えば、上記構成において、前記複数のグランドコンタクトは各々１対のコンタクト部を有し、一方のコンタクト部は一方の列を構成する複数対の信号コンタクトの基板側コンタクト部とともに一列に配置され、他方のコンタクト部は他方の列を構成する複数対の信号コンタクトの基板側コンタクト部とともに一列に配置されている。グランドコンタクトの基板側コンタクト部と信号コンタクトの基板側コンタクト部が一列配置されるので、基板側の配線設計が容易及び配線形成作業が一層容易となる。
例えば、上記構成において、相手方コネクタに接続する前記複数の信号コンタクトの第１の部分と基板上の端子に接続する第２の部分とは、直交する方向に延出している。また、これとは異なり、上記構成において、相手方コネクタに接続する前記複数の信号コンタクトの第１の部分と基板上の端子に接続する第２の部分とは逆向きの方向に延出している。
例えば、上記構成において、前記２列に配置された複数の信号コンタクトは、コネクタの長手方向に離間して配列されている。
例えば、上記構成において、前記コネクタは更に、各列に設けられた複数の別の信号コンタクトを有し、各列において当該複数の別の信号コンタクトは、前記グランドコンタクトを介することなく離間して配置されている。グランドコンタクトを介さない信号コンタクトの配列は比較的低速な非平衡伝送に適している。従って、上記構成により平衡伝送と非平衡伝送の両方に対応する複合型コネクタを実現することができる。
また、本発明は、配線基板と該配線基板上に実装されたコネクタとを有し、該コネクタは上記コネクタであることを特徴とする電子装置を含む。例えば、この電子装置は上記いずれかのコネクタを装着したプリント配線基板である。
発明を実施するための最良の形態
本発明に係るコネクタの好適な実施の形態（以下、本実施の形態例という。）について、図を参照して、詳細に説明する。
第１実施形態
まず、本発明の第１実施形態によるコネクタについて図２Ａ、２Ｂ〜図６Ａ、６Ｂを参照して説明する。
本実施態のコネクタはジャック用コネクタと、これに接続可能なプラグ用コネクタである。ジャック用コネクタとプラグ用コネクタを対にして基板上に設けることで、複数の基板を接続することができる。なお、本発明のコネクタを実装した配線基板は、本発明の電子装置の一実施形態である。
ジャック用コネクタ１０は、図２Ａ中Ｘ１−Ｘ２方向に長尺に形成された絶縁体材料からなるハウジング（筐体）１２に、複数対の信号コンタクト１４ａ、１４ｂの列と複数対の信号コンタクト１１４ａ、１１４ｂの列とが計２列配列されるとともに、グランドコンタクト１６が複数配設されている。
ハウジング１２は、Ｘ１−Ｘ２方向に長尺な１本のスリット１８と、スリット１８に直交する短尺な複数本のスリット２０が形成されている。スリット１８とスリット２０でコ字状に三方を囲まれた各領域には、それぞれ１対の孔部２２ａ、２２ｂが形成されており、従って、孔部２２ａ、２２ｂは、Ｘ１−Ｘ２方向側に複数対配列されるとともに、Ｙ１−Ｙ２方向に２列配列された構成とされている。孔部はＺ１側開口端が幅狭にされている。
信号コンタクト１４ａ、１４ｂ、１１４ａ、１１４ｂは、略Ｌ字状に形成され、上端部１４ａ−１、１４ｂ−１、１１４ａ−１、１１４ｂ−１が山形状に屈折し（図６Ａ参照）、下端部１４ａ−２、１４ｂ−２、１１４ａ−２、１１４ｂ−２が直角に屈折している（参照符号１１４ｂ−１、１１４ｂ−２は図示せず）。上端部１４ａ−１、１４ｂ−１、１１４ａ−１、１１４ｂ−１は相手方コネクタに接続する部分で、以下の説明ではコネクタ側コンタクト部と言うことがある。また、下端部１４ａ−２、１４ｂ−２、１１４ａ−２、１１４ｂ−２は基板側のコンタクトを形成するための部分で、以下の説明では基板側コンタクト部と言うことがある。
信号コンタクト１４ａ及び信号コンタクト１４ｂの２本又は信号コンタクト１１４ａ及び信号コンタクト１１４ｂの２本でそれぞれ１対に構成される。信号コンタクト１４ａ、１４ｂ、１１４ａ、１１４ｂは、各対毎に１対の孔部２２ａ又は２２ｂのＺ２側端部から挿通され、上端部１４ａ−１、１４ｂ−１、１１４ａ−１、１１４ｂ−１が孔部２２ａ又は２２ｂの側壁に沿って立設するとともに、信号コンタクト１４ａ、１４ｂの下端部１４ａ−２、１４ｂ−２がハウジング１２の下端部から屈折してＹ２側、すなわち、ハウジング１２の長尺な側壁１２ａ側に平行に延出し、一方、信号コンタクト１１４ａ、１１４ｂの下端部１１４ａ−２、１１４ｂ−２がハウジング１２の下端部から屈折してＹ１側、すなわち、ハウジング１２の長尺な側壁１２ｂ側に平行に延出している。従って、対の信号コンタクトは、Ｘ１−Ｘ２方向側に複数組配列されるとともに、Ｙ１−Ｙ２方向に２列配列された構成とされている。
グランドコンタクト１６は、図３に示すように、上端部１６ａがＹ１−Ｙ２方向に二股に分岐したフォーク状に形成され上端部１６ａの山形状の頂部が相互に近接するとともに、下端部１６ｂもＹ１−Ｙ２方向の両側に分岐し、更に水平方向に屈折して形成されている。グランドコンタクト１６は、ハウジング１２のＸ１−Ｘ２方向の列内に配列された、隣り合う各対の信号コンタクト１４ａ、１４ｂ又は１１４ａ、１１４ｂを遮蔽する列内グランドコンタクトであり、上端部１６ａがハウジング１２のスリット２０の幅狭な開口２０ａの直下まで突設されるとともに、下端部１６ｂがハウジングのＹ１及びＹ２方向の両側に延出して、配置されている。なお、ハウジング１２の長手方向の両側壁１２ａ、１２ｂの外側にはそれぞれ遮蔽シールド層２４が設けられている。
信号コンタクト１４ａ、１４ｂ、１１４ａ、１１４ｂ及びグランドコンタクト１６の各下端部１４ａ−２、１４ｂ−２、１１４ａ−２、１１４ｂ−２、１６ｂは、配線基板（本命最初では、実装基板又は単に基板とも言う）２６に形成された図示しないパッドに接合され、基板２６上に形成される図示しないプリント配線に接続される。
プラグ用コネクタ２８は、図２Ｂ中Ｘ１−Ｘ２方向に長尺に形成された絶縁体材料からなるハウジング（筐体）３０に複数対の信号コンタクト３２ａ、３２ｂの列と複数の信号コンタクト１３２ａ、１３２ｂの列が計２列に配置されるとともに、列内用グランドコンタクト３４と列間用グランドコンタクト３６が配置されている。
ハウジング３０は、Ｘ１−Ｘ２方向に長尺な凹部３８が形成されている。図５に示すように、凹部３８に連通して複数の孔部４０ａ、４０ｂが底壁３０ａに形成されるとともに、底壁３０ａには、更に、２つの孔部４０ａ、４０ｂ毎に区画するスリット４２が縦横に形成され、また、側壁２８の内部に沿って２本のスリット４４が形成されている。この孔部４０ａ、４０ｂ及びスリット４２の配置状態は、上記ジャック用コネクタ１０の孔部２２ａ、２２ｂ及びスリット１８、２０の配置状態に対応する。
信号コンタクト３２ａ、３２ｂ、１３２ａ、１３２ｂは、略Ｌ字状に形成されている。信号コンタクト３２ａ及び信号コンタクト３２ｂの２本又は信号コンタクト１３２ａ及び信号コンタクト１３２ｂの２本でそれぞれ１対に構成される。信号コンタクト３２ａ，３２ｂ、１３２ａ、１３２ｂは、各対毎に１対の孔部４０ａ又は４０ｂのＺ２側端部から挿通され、上端部３２ａ−１、３２ｂ−１、１３２ａ−１、１３２ｂ−１が凹部３８内に立設するとともに（参照符号１３２ｂ−１は図示せず）、信号コンタクト３２ａ、３２ｂの下端部３２ａ−２、３２ｂ−２がハウジング３０の下端部からＹ２側の側壁３０ｂ側に平行に延出し、一方、信号コンタクト１３２ａ、１３２ｂの下端部１３２ａ−２、１３２ｂ−２がハウジング３０の下端部からＹ１側の側壁３０ｃ側に平行に延出している（参照符号１３２ｂ−２は図示せず。）。従って、各対の信号コンタクトは、Ｘ１−Ｘ２方向側に複数組配列されるとともに、Ｙ１−Ｙ２方向に２列配列された構成とされている。
列内用グランドコンタクト３４は、図４に示すように、略平板状に形成され、下側に段差上の切り欠き部３４ａが形成されるとともに、下端部３４ｂが両側に屈折して延出している。一方、列間用グランドコンタクト３６は、略平板状に形成され、上側に所定のピッチでスリット３６ａが形成されている。
列間用グランドコンタクト３６がハウジング３０の凹部３８のＹ１−Ｙ２側中央部に配置され、その列間用グランドコンタクト３６のスリット３６ａに切り欠き部３４ａを係合して複数の列内用グランドコンタクト３４が列間用グランドコンタクト３６と直交して配置される。従って、列間用グランドコンタクト３６は列内用グランドコンタクト３４に電気的に接続された状態にある。列内用グランドコンタクト３４は、下端部３４ｂがハウジング３０の下端部のＹ１又はＹ２方向の長尺な両側壁３０ｂ、３０ｃに延出して、配置される。
図２Ｂに示すように、列内用グランドコンタクト３４の幅Ｗ１が列間の信号コンタクト３２ａ、１３２ａ間又は信号コンタクト３２ｂ、１３２ｂ間の間隔Ｌ１よりも大きく形成されているため、各列の隣り合う各対の信号コンタクト３２ａ、３２ｂと信号コンタクト３２ａ、３２ｂ又は信号コンタクト１３２ａ、１３２ｂと信号コンタクト１３２ａ、１３２ｂは、Ｘ１−Ｘ２方向側には列内用グランドコンタクト３４によって完全に遮蔽されている。また、同様に、列内用グランドコンタクト３４によって仕切られた部分の列間用グランドコンタクト３６の幅Ｗ２が列内の各対の信号コンタクト３２ａ、３２ｂ間又は信号コンタクト１３２ａ、１３２ｂの間隔Ｌ２よりも大きく形成されているため、隣り合う列の各対の信号コンタクト３２ａ、３２ｂと信号コンタクト１３２ａ、１３２ｂは、Ｙ１−Ｙ２方向側には列間用グランドコンタクト３６によって完全に遮蔽されている。
ハウジング３０に複数対の信号コンタクト３２ａ、３２ｂ及び１３２ａ、１３２ｂと列内用グランドコンタクト３４と列間用グランドコンタクト３６が配設された状態を更に図５に断面図として示す。なお、図５に示すように、ハウジング３０の長手方向の両側壁３０ｂ、３０ｃの内側にはそれぞれ遮蔽シールド層４６が設けられ、遮蔽シールド層４６の下端部４６ａはハウジング３０の底壁３０ａを挿通している。
信号コンタクト３２ａ、３２ｂ、１３２ａ、１３２ｂ及び列内用グランドコンタクト３４の各下端部３２ａ−２、３２ｂ−２、１３２ａ−２、１３２ｂ−２３４ｂは、基板４８に形成された図示しないパッドに接合され、基板４８上に形成された図示しないプリント配線に接続される。なお、遮蔽シールド層４６の下端部４６ａは、基板４８の図示しないグランド部の電気的に接続される。
上記のように構成されるジャック用コネクタ１０及びプラグ用コネクタ２８の接続構造について、信号コンタクトの１列分のみを図示した図６Ａ、及びグランドコンタクトを図示した図６Ｂを参照して説明する。
ジャック用コネクタ１０にプラグ用コネクタ２８が接続されるとき、図６Ａに示すように、信号コンタクト３２ａ、３２ｂが信号コンタクト１４ａ、１４ｂの上端部１４ａ−１、１４ｂ−１をＹ２方向に撓ませながら孔部２２ａ、２２ｂに挿入される。そして、信号コンタクト１４ａ、１４ｂの復元力によって信号コンタクト３２ａが信号コンタクト１４ａに、信号コンタクト３２ｂが信号コンタクト１４ｂにそれぞれ当接する。
また、図６Ｂに示すように、列内用グランドコンタクト３４がグランドコンタクト１６の上端部１６ａをＹ１、Ｙ２方向に押し広げながらスリット２０に挿入されて、グンラドコンタクト１６の復元力によってグランドコンタクト１６の上端部１６ａに挟持される。
従って、信号コンタクト１４ａと信号コンタクト３２ａ、信号コンタクト１４ｂと信号コンタクト３２ｂ、グランドコンタクト１６と列内グランドコンタクト３４がそれぞれ確実に電気的に接続される。信号コンタクト１１４ａと信号コンタクト１３２ａ、信号コンタクト１１４ｂと信号コンタクト１３２ｂについても同様である。なお、遮蔽シールド層２４と遮蔽シールド層４６とが摺接し、電気的に接続される。
これにより、ジャック用コネクタ１０が取付けられた基板２６とプラグ用コネクタ２８が取付けられた基板４８が、ジャック用コネクタ１０及びプラグ用コネクタ２８を介して上下に重なった状態で接続される。
各対の信号コンタクト１４ａと１４ｂ、１１４ａと１１４ｂ、３２ａと３２ｂ、１３２ａと１３２ｂは、平衡伝送用であり、例えば、信号コンタクト１４ａ、１１４ａ、３２ａ、１３２ａに＋信号が伝送され、信号コンタクト１４ｂ、１１４ｂ、３２ｂ、１３２ｂに−信号が伝送される。
以上説明した第１実施形態に係るプラグ用コネクタ２８及びジャック用コネクタ１０は、基板にコネクタを実装する場合に、ハウジングの長手方向と直角な方向に位置する端子部等と信号コンタクトの間を接続するとき、各対の信号コンタクトのそれぞれと端子部等とを接続する１対の配線の長さを同一にすることができるため、基板の配線設計及び配線形成作業が容易である。また、平衡伝送される各対の信号コンタクトのノイズの発生を防止し、高速信号伝送時においても特性インピーダンスの安定を図ることができる。
また、プラグ用コネクタ２８及びジャック用コネクタ１０は、複数対の信号コンタクトの各対間に列内グランドコンタクトが配設されているため、信号コンタクトの各対間のクロストークを軽減することができる。特に、プラグ用コネクタ２８の列内グランドコンタクトは複数対の信号コンタクトの隣り合う各対間を遮蔽する大きさに形成されているため、より効果的にクロストークを軽減することができる。
また、プラグ用コネクタ２８は、列間用グランドコンタクトが配設されているため、信号コンタクトの各対の列間のクロストークを軽減することができる。また、プラグ用コネクタ２８及びジャック用コネクタ１０は、ハウジングに遮蔽シールド層が形成されているため、外部からの電磁波をシールドすることができる。
第２実施形態
つぎに、本発明の第２実施形態に係るコネクタについて、図７Ａ、７Ｂ〜図９を参照して説明する。
本実施形態に係るコネクタは、ジャック用コネクタとプラグ用のコネクタを含む。第１実施形態に係るコネクタであるジャック用コネクタ１０、又は、プラグ用コネクタ２８と同様に、第２実施形態によるジャック用コネクタとプラグ用コネクタを対にして基板上に設けることで、複数の基板を接続することができる。ただし、第１実施形態に係るコネクタでは、基板を上下に重ねて面間で接続する構造であるのに対して、以下説明する第２実施形態に係るコネクタは基板の端部間を水平方向に接続する点において、両者は相違する。
図７Ａ、７Ｂに示すように、ジャック用コネクタ５０及びプラグ用コネクタ５２は、それぞれ、１対の信号コンタクト（以下、単にコンタクトということがある）５４ａ、５４ｂとグランドコンタクト（以下、単にコンタクトということがある）５８、１対の信号コンタクト（以下、単にコンタクトということがある）５６ａ、５６ｂとグランドコンタクト（以下、単にコンタクトということがある）６０をそれぞれ１組とし、複数組が１列に並んで配列されている。各対の信号コンタクト５４ａ、５４ｂ及び信号コンタクト５６ａ、５６ｂは平衡伝送用であり、例えば、信号コンタクト５４ａ、５６ａに＋信号が伝送され、信号コンタクト５４ｂ、５６ｂに−信号が伝送される。
ジャック用コネクタ５０、プラグ用コネクタ５２の順に更に説明する。
ジャック用コネクタ５０は、絶縁体からなるハウジング６２を有し、ハウジング６２の図７Ａ中Ｚ２方向の下面に複数本の溝部６４が形成されている。ハウジング６２は、更に、Ｘ１−Ｘ２方向の両壁、Ｚ１方向の上壁及びＹ１方向の後壁が金属板６６で被覆され、金属板６６のＸ１−Ｘ２方向両側の下端部には突起６６ａが設けられている。従って、ジャック用コネクタ５０は、ハウジング６２のＺ２方向の下壁が省略されて、低背化されている。
ジャック用コネクタ５０の各コンタクト５４ａ、５４ｂ、５８は同一形状であり、図８Ａ，８Ｂに示すように、略棒状に形成され、中間部に段差が設けられている。各コンタクト５４ａ、５４ｂ、５８の図７及び図８Ａ中Ｙ２側の先端部５４ａ−１、５４ｂ−１、５８−１はその頂部に内向きの突起Ａが形成され、また、先端部５４ａ−１、５４ｂ−１、５８−１と中間部との間には、Ｚ１方向に突設した突起Ｂが形成されている。各コンタクトの後端部５４ａ−２、５４ｂ−２、５８−２は舌片状に形成されている。
各コンタクト５４ａ、５４ｂ、５８は、ハウジング６２の溝部６４の上壁に形成された凹部６８に突起Ｂを嵌合することにより、ハウジング６２に固定されている。従って、ハウジング６２の後壁６２ａを各コンタクト５４ａ、５４ｂ、５８の固定部とする必要がないため、後壁６２ａの厚みは薄く形成されており、その結果、ジャック用コネクタ５０の奥行き寸法Ｗ３が小さくなっている（図９参照）。また、後述するプラグ用コネクタ５２との接続状態において、コンタクト５４ａ、５４ｂ、５８の接続方向（Ｙ１−Ｙ２方向）と直交する方向（Ｚ１側）の突起Ｂと凹部６８とも嵌合によってコンタクト５４ａ、５４ｂ、５８がハウジング６２に固定されているため、プラグ用コネクタ５２をジャック用コネクタ５０に抜き差しする際、コンタクト５４ａ、５４ｂ、５８が抜けることがない。
ハウジング６２の各溝部６４に上記の１対の信号コンタクト５４ａ、５４ｂとグランドコンタクト５８が繰り返し配列される。
ジャック用コネクタ５０が載置される基板７０は、図７Ａに示すように、Ｙ２側端部の中央に突設部７２が形成されている。突設部７２のＹ１側後方に幅広なパッド（パターン）７４が形成されている。パッド７４のＸ１−Ｘ２方向両側に１組のパッド７６が形成され、また、パッド７４のＹ１方向後部には複数のパッド７８が整列して形成されている。
ジャック用コネクタ５０を基板７０に載置し、金属板６６の突起６６ａをパッド７６に接合することにより金属板６６及び金属板６６に保持されたハウジング６２が基板７０に固定される。一方、ジャック用コネクタ５０の各コンタクト５４ａ、５４ｂ、５８の各後端部５４ａ−２、５４ｂ−２、５８−２をパッド７８に接合することにより、各コンタクト５４ａ、５４ｂ、５８は基板７０上に形成される図示しない配線パターンに接続される。信号コンタクト５４ａ、５４ｂに接続される配線の反対側はＹ１方向に設けられた図示しない端子部等に接続され、グランドコンタクト５８に接続される配線の反対側はＹ１方向に設けられた図示しないグランド部に接続される。
プラグ用コネクタ５２は、絶縁体からなるハウジング８０を有し、ハウジング８０は、図７Ｂ中Ｘ１−Ｘ２方向に長尺な凹部８２が形成されている。なお、ハウジング８０の底壁８０ａのＸ１−Ｘ２方向両側は切欠かれている。ハウジング８０は、更に、Ｙ１方向の開口部を除く全体が金属板８４で被覆されている。金属板８４のＸ１−Ｘ２方向両側の下端部には突起８４ａが設けられている。
プラグ用コネクタ５２の各コンタクト５６ａ、５６ｂ、６０は同一形状であり、図８Ｂに示すように、略棒状に形成され、中間部に段差が設けられ、後端部５６ａ−１、５６ｂ−１、６０−１は舌片状に形成されている。
プラグ用コネクタ５２の各コンタクト５６ａ、５６ｂ、６０は、ハウジング８０の後壁８０ｂに形成された孔部８０ｃから先端部５６ａ−１、５６ｂ−１、６０−１をＹ１方向に圧入して突出させることにより、ハウジング８０に固定されている。ハウジング８０の底壁上に上記の１対の信号コンタクト５６ａ、５６ｂとグランドコンタクト６０が交互に配列される。
プラグ用コネクタ５２が載置される基板８６は、Ｙ１側端部の中央に切り欠き部８８が形成されている。切り欠き部８８のＸ１−Ｘ２方向両側に１組のパッド９０が形成され、また、切り欠き部８８のＹ２方向後部には複数のパッド９２が整列して形成されている。
プラグ用コネクタ５２を基板８６に載置し、金属板８４の突起８４ａをパッド９０に接合することにより金属板８４及び金属板８４に保持されたハウジング８０が基板８６に固定される。一方、プラグ用コネクタ５２の各コンタクト５６ａ、５６ｂ、６０の各後端部５６ａ−１、５６ｂ−１、６０−１をパッド９２に接合することにより、各コンタクト５６ａ、５６ｂ、６０は基板８６上に形成される図示しない配線パターンに接続される。信号コンタクト５６ａ、５６ｂに接続される配線の反対側はＹ２方向の図示しない端子部等に接続され、グランドコンタクト６０に接続される配線の反対側はＹ２方向の図示しないグランド部に接続される。
上記のように構成されるジャック用コネクタ５０及びプラグ用コネクタ５２の接続構造について、図８及び図９を参照して説明する。
ジャック用コネクタ５０が設けられた基板７０の突設部７２とプラグ用コネクタ５２が設けられた基板８６の切り欠き部８８を突き合わせるようにして、ジャック用コネクタ５０にプラグ用コネクタ５２が接続される。このとき、プラグ用コネクタ５２の底壁８０ａをジャック用コネクタ５０のパッド７４とコンタクト５４ａ、５４ｂ、５８の間に挟むようにして、コンタクト５６ａ、５６ｂ、６０の上面をコンタクト５４ａ、５４ｂ、５８に摺動させることにより、突起Ａが押されてＺ１方向に撓んだコンタクト５４ａ、５４ｂ、５８の先端部５４ａ−１、５４ｂ−１、５８−１の復元力によってコンタクト５４ａ、５４ｂ、５８のコンタクト５６ａ、５６ｂ、６０が密接される。そして、信号コンタクト５４ａと信号コンタクト５６ａ、信号コンタクト５４ｂと信号コンタクト５６ｂ、グランドコンタクト５８とグランドコンタクト６０がそれぞれ電気的に接続される。一方、プラグ用コネクタ５２の底壁８０ａの下面の設けた金属板８４がジャック用コネクタ５０のパッド７４に当接し、金属板８４とパッド７４が電気的に接続される。
これにより、ジャック用コネクタ５０が取付けられた基板７０とプラグ用コネクタ５２が取付けられた基板８６が、ジャック用コネクタ５０及びプラグ用コネクタ５２を介して水平方向に接続される。
以上説明した第２実施形態に係るプラグ用コネクタ５２及びジャック用コネクタ５０は、基板にコネクタを実装する場合に、ハウジングの長手方向と直角な方向に位置する端子部等と信号コンタクトの間を接続するとき、各対の信号コンタクトのそれぞれと端子部等とを接続する１対の配線の長さを同一にすることができるため、基板の配線設計及び配線形成作業が容易である。また、平衡伝送される各対の信号コンタクトのノイズの発生を防止し、高速信号伝送時においても特性インピーダンスの安定を図ることができる。
また、プラグ用コネクタ５２及びジャック用コネクタ５０は、複数対の信号コンタクトの各対間にグランドコンタクトが配設されているため信号コンタクトの各対間のクロストークを軽減することができる。
また、プラグ用コネクタ５２及びジャック用コネクタ５０は、ハウジングの外周に遮蔽シールド層の役割を果たす金属板が設けられているため、外部からの電磁波をシールドすることができる。また、プラグ用コネクタ５２をジャック用コネクタ５０に抜き差しする際、双方のコンタクトの接触力によってハウジングを膨らまそうとする力が作用するが、このハウジングの膨らみはハウジングを覆う金属板によって抑制される。
なお、プラグ用コネクタ５２の基板８６への取付け及びジャック用コネクタ５０の基板７０への取付けは、それぞれ、金属板の突起及びコンタクトの後端部のみの部分で行われている為、はんだ付け箇所が少なく、はんだ付け作業の能率がよい。また、コンタクトは寸法精度に優れる板抜きによって略棒状に形成されているため、接触面の面寸法精度がよい。
第３実施形態
次に、本発明の第３実施形態によるコネクタを説明する。
図１０Ａ〜１０Ｄは、第３実施形態によるプラグ用コネクタ２１０を示す図である。図１０Ａはコネクタ２１０の斜視図、図１０Ｂはコネクタ２１０の一部切り欠き斜視図、図１０Ｃは図１０Ｂに示すＸＣ線断面図、及び図１０Ｄは図１０Ｂに示すＸＤ線断面図である。
コネクタ２１０は、凹部２１２を持つハウジング２１１を有する。ハウジング２１１は例えば、ポリエステルや液晶ポリマー（ＬＣＰ：Ｌｉｑｕｉｄ  Ｃｒｙｓｔａｌ  Ｐｏｌｙｍｅｒ）系の樹脂などの絶縁物質で形成されている。凹部２１２内には、コネクタ２１０の長手方向に延びるコンタクト支持部２１３を有する。コンタクト支持部２１３は例えばハウジング２１１と一体構成であり、略平板状である。コンタクト支持部２１３は２つの対向する面を有し、それぞれの面上に同一長さの信号コンタクト２１４ａ、２１４ｂ、２１５ａ、２１５ｂが配置されている。１つの信号コンタクト２１４ａと１つの信号コンタクト２１４ｂは対となり、１Ｇｂｉｔ／ｓ以上の信号の平衡伝送に供される。つまり、１対の信号コンタクト２１４ａと２１４ｂは大きさが同じで極性が逆の信号を伝送する。対となる信号コンタクト２１４ａと２１４ｂは、全長にわたり隣接している。言い換えれば、一様に隣接している。更に別の表現で特定すると、対となる信号コンタクト２１４ａと２１４ｂは全長にわたり平行であるとも言える。言い換えれば、同一の距離で隔てられているとも言える。このため、信号コンタクトの全長にわたり良好なカップリングが確立される。この点は、信号コンタクトの一部でカップリングが成立しない前述した従来技術と大きく異なる。
このような信号コンタクト２１４ａと２１４ｂからなる対が複数個、ハウジング２１１の長手方向に離間して一列に配置されている。同様に、１つの信号コンタクト２１５ａと１つの信号コンタクト２１５ｂは対となり、平衡伝送に供される。信号コンタクト２１５ａと２１５ｂとからなる対が複数個、コンタクト支持部２１３の他方の面上に平行に離間して配置されている。換言すれば、信号コンタクト２１５ａ、２１５ｂはハウジング２１１の長手方向に離間して一列に配置されている。このように、コネクタ２１０は、複数の信号コンタクト２１４ａと２１４ｂを有する列と、信号コンタクト２１５ａと２１５ｂを有する列との２列構成である。
なお、各信号コンタクト２１４ａ、２１４ｂ、２１５ａ、２１５ｂは細長（ピン状）で同一長さの単一部材であり、例えば金メッキされた銅合金の平板を打ち抜き、折り曲げ加工することで形成されるものである。
コンタクト支持部２１３とハウジング２１１の底部には複数の角穴２２３が設けられ、各角穴２２３内にグランドコンタクト２１６が配置されている。グランドコンタクト２１６は、複数の信号コンタクト２１４ａと２１４ｂを有する列を複数対の信号コンタクトに区分し、同様に複数の信号コンタクト２１５ａと２１５ｂを有する列を複数対の信号コンタクトに区分けするように配置されている。従って、隣接するグランドコンタクト２１６間には、一方の列にある１対の信号コンタクト２１４ａと２１４ｂと、他方の列にある１対に信号コンタクト２１５ａと２１５ｂとが位置している。
図１０Ｃに示すように、信号コンタクト２１４ａは相手方コネクタのコンタクトに接続するコネクタ側コンタクト部２１４ａ−１と、これと一体に形成された基板側のコンタクト部２１４ａ−２とを有する。コネクタ側コンタクト部２１４ａ−１は、ハウジング２１１に形成された孔部２２１を通り、コンタクト支持部２１３の一方の面に沿って延びている。基板側コンタクト部２１４ａ−２はコネクタ側コンタクト部２１４ａ−１に対し略９０°屈曲しており、実装基板（図示していない）の実装面上に設けられたパッドなどの接続端子に接続可能なように延びている。コンタクト支持部２１３を介してコンタクト２１４ａに対向するコンタクト２１５ａも同様に、相手方コネクタのコンタクトに接続するコネクタ側コンタクト部２１５ａ−１と、これに一体に形成された基板側のコンタクト部２１５ａ−２とを有する。コネクタ側コンタクト部２１５ａ−１は、ハウジング２１１に形成された孔部２２２を通り、コンタクト支持部２１３の他方の面に沿って延びている。基板側コンタクト部２１５ａ−２はコネクタ側コンタクト部２１５ａ−１に対し略９０°屈曲しており、実装基板の実装面上に設けられたパッドなどの接続端子に接続可能なように延びている。そして、基板側コンタクト部２１４ａ−２と２１５ａ−２とは、逆方向に延びている。信号コンタクト２１４ｂも上記信号コンタクト２１４ａと同様に形成され、信号コンタクト２１５ｂも上記信号コンタクト２１５ａと同様に形成されている。つまり、対をなす基板側コンタクト部２１４ａ−２と２１４ｂ−２とは第１の方向（ハウジング２１１の一方の側）に延出し、対をなす基板側コンタクト部２１５ａ−２と２１５ｂ−２とは上記第１の方向とは反対の第２の方向（ハウジング２１１の対向する側）に延出している。
図１０Ｄに示すように、グランドコンタクト２１６は２つの基板側コンタクト部２１６−１、２１６−２とこれらに一体に形成された板状部２１６−３とを有する。グランドコンタクト２１６は、２列の信号コンタクトに共通に設けられている。板状部２１６−３は、ハウジング２１１及びコンタクト支持部２１３に形成された角穴２２３を通り、垂直に延びている。板状部２１６−３の頂部はコンタクト支持部２１３の上面から突出している。つまり、グランドコンタクト２１６は、信号コンタクト２１４ａ、２１４ｂ、２１５ａ、２１５ｂよりも背が高く、また同一であってもよい。また、各列で隣接する信号コンタクト対を良好に遮蔽するため、板状部２１６−３の幅は、信号コンタクト２１４ａ（２１４ｂ）と２１５ａ（２１５ｂ）との間の距離よりも大である。グランドコンタクト２１６の基板側コンタクト部２１６−１は、実装面上に設けられたパッドなどの接続端子に接続可能なように延びている。基板側コンタクト部２１６−１は、信号コンタクト２１４ａの基板側コンタクト部２１４ａ−２と同じレベル（段差がなく一様である）であって同じ方向に延びている。グランドコンタクト２１６の他方の基板側コンタクト部２１６−２も同様に構成されている。そして、基板側コンタクト部２１６−１と２１６−２とは、逆方向に延びている。
このように、配線基板側には、基板側グランドコンタクト部２１６−１を隔てて、基板側コンタクト部２１４ａ−２と２１４ｂ−２の対が複数個配列された列と、基板側グランドコンタクト部２１６−２を隔てて、基板側コンタクト部２１５ａ−２と２１５ｂ−２の対が複数個配列された列とが形成されている。そして、これら２列の基板コンタクト部は同じレベルで反対方向に延びている。基板側コンタクト部２１４ａ−２、２１４ｂ−２及びグランドコンタクト２１６−１は例えば、同じピッチで整列されている。
ハウジング２１１の左右側部には突起部２２４が形成され、この突起部に形成された孔部内に円筒状の固定部材２２５が挿入される。固定部材２２５は、配線基板に形成されたスルーホール内に挿入され、はんだで固定される。これにより、コネクタ２１０を配線基板上に実装・固定することができる。
１対の基板側コンタクト部２１４ａ−２と２１４ｂ−２とは一様に隣接しかつ同一長さなので、配線基板上において信号を同一位相で平衡伝送することができる。同様に、１対の基板側コンタクト部２１５ａ−２と２１５ｂ−２とは平行かつ同一長さなので、配線基板上において信号を同一位相で平衡伝送することができる。この結果、従来のように位相差に起因したノイズの発生を防止することができ、特性インピーダンスを安定に保つことができる。また、基板側コンタクト部２１４ａ−１と２１４ｂ−１とは隣接し、同様に基板側コンタクト部２１５ａ−２と２１５ｂ−２とは隣接しているため、配線基板上の対となる配線の長さを容易に同一にすることができ、配線基板の配線設計及び配線形成作業を容易に行うことができる。更に、２列配列であっても、各信号コンタクト対は全長にわたり隣接しているので、良好な平衡伝送を高密度で実現することができる。
コネクタ２１０の長手方向に隣り合う信号コンタクト対はグランドコンタクト２１６で電気的に遮蔽されており、同一列内で隣接する信号コンタクト対間で相互に干渉することはない。他方、１対の信号コンタクト２１４ａ、２１４ｂと１対の信号コンタクト２１５ａ、２１５ｂとは、絶縁物質で形成されたコンタクト支持部２１３を介して対向しており、前述した第１実施形態の列間用グランドコンタクト３６のような遮蔽部材が設けられていない。従って、第１実施形態に比べると、コンタクト支持部２１３を介して対向する信号コンタクト間で位相差が生じ、多少のノイズが発生する可能性がある。しかしながら、対となる信号コンタクト２１４ａと２１４ｂとの距離及び対となる信号コンタクト２１５ａと２１５ｂとの距離が、信号コンタクト２１４ａと２１５ｂとの距離及び信号コンタクト２１４ｂと２１５ａとの対角距離よりも近ければ、実用上問題はない場合が多い。他方、前述した第１実施形態の列間用グランドコンタクト３６のような遮蔽部材が設けられていないため、部品点数を削減してコネクタのコストダウンを図ることができるという利点がある。
次に、図１１Ａ〜１１Ｄを参照して本発明の第３実施形態によるジャック用コネクタ２３０を説明する。図１１Ａはコネクタ２３０の斜視図、図１１Ｂはコネクタ２３０の一部切り欠き斜視図、図１１Ｃは図１１Ｂに示すＸＩＣ線断面図、及び図１１Ｄは図１１Ｂに示すＸＩＤ線断面図である。ジャック用コネクタ２３０は、上記プラグ用コネクタ２１０と対をなすものである。
コネクタ２３０は、凸部２３２を持つハウジング２３１を有する。ハウジング２３１は例えば、ポリエステルや液晶ポリマー系の樹脂などの絶縁物質で形成されている。凸部２３２はコネクタ２３０の長手方向に延びており、内部に凹部２３３を有する。この凹部２３３内にコネクタ２１０のコンタクト支持部２１３が嵌り込む。凹部２３３内には、信号コンタクト及びグランドコンタクトが２列に配列されている。一方の列は同一長さの信号コンタクト２３４ａと２３４ｂとを有し、他方の列は信号コンタクト２３４ａ、２３４ｂと同一長さの信号コンタクト２３５ａと２３５ｂとを有する。１つの信号コンタクト２３４ａと１つの信号コンタクト２３４ｂとは対となり、１Ｇｂｉｔ／ｓ以上の信号の平衡伝送に供される。
対となる信号コンタクト２３４ａと２３４ｂは、全長にわたり隣接している。言い換えれば、一様に隣接しているとも言える。また、対となる信号コンタクト２３４ａと２３４ｂは全長にわたり平行、又は同一の距離で隔てられているとも言える。これにより、信号コンタクト２３４ａと２３４ｂの全長にわたり良好なカップリングが形成できる。
このような信号コンタクト２３４ａ、２３４ｂの対が複数個、平行に離間して配置されており、１つの列を構成している。同様に、１つの信号コンタクト２３５ａと１つの信号コンタクト２３５ｂとは対となり、平衡伝送に供される。このような信号コンタクトの対が複数個、平行に離間して配置されており、もう１つの列を構成している。このように、コネクタ２３０は、２列に配置された複数の信号コンタクト２３４ａ、２３４ｂ、２３５ａ、２３５ｂを有する。
なお、各信号コンタクト２３４ａ、２３４ｂ、２３５ａ、２３５ｂは細長（ピン状）で同じ長さの単一部材であり、例えば金メッキされた銅合金の平板を打ち抜き、折り曲げ加工することで形成されるものである。
ハウジング２３１の底部には複数の角穴２４５が設けられ、各角穴２４５内にグランドコンタクト２３６が配置されている。グランドコンタクト２３６は、複数の信号コンタクト２３４ａと２３４ｂを有する列を複数対の信号コンタクトに区分けし、同様に複数の信号コンタクト２３５ａと２３５ｂを有する列を複数対の信号コンタクトを区分けするように配置されている。従って、隣接するグランドコンタクト２３６間には、一方の列にある１対の信号コンタクト２３４ａと２３４ｂと、他方の列にある１対に信号コンタクト２３５ａと２３５ｂとが位置している。
図１１Ｃに示すように、信号コンタクト２３４ａはプラグ用コネクタ２１０の信号コンタクト部２１４ａ−１に接続するコネクタ側コンタクト部２３４ａ−１と、基板側のコンタクト部２３４ａ−２とを有する単一の部材である。コネクタ側コンタクト部２３４ａ−１は、ハウジング２３１に形成された孔部２４１を通り、凹部２３３内に延びている。コネクタ２３０を配線基板に実装した状態では、コネクタ側コンタクト部２３４ａ−１は配線基板に対し略垂直に延びる。基板側コンタクト部２３４ａ−２はコネクタ側コンタクト部２３４ａ−１に対し略９０°外側に屈曲しており、実装基板（図示していない）の実装面上に設けられたパッドなどの接続端子に接続可能なように延びている。空間を介してコンタクト２３４ａに対向するコンタクト２３５ａも同様に、プラグ用コネクタ２１０の信号コンタクト２１５ａ−１に接続するコネクタ側コンタクト部２３５ａ−１と、これに一体に形成された基板側のコンタクト部２３５ａ−２とを有する。コネクタ側コンタクト部２３５ａ−１は、ハウジング２３１に形成された孔部２４２を通り、凹部２３３内に延びている。基板側コンタクト部２３５ａ−２はコネクタ側コンタクト部２３５ａ−１に対し略９０°外側に屈曲しており、実装基板の実装面上に設けられたパッドなどの接続端子に接続可能なように延びている。そして、基板側コンタクト部２３４ａ−２と２３５ａ−２とは、逆方向に延びている。信号コンタクト２３４ｂも上記信号コンタクト２３４ａと同様に形成され、信号コンタクト２３５ｂも上記信号コンタクト２３５ａと同様に形成されている。コネクタ側コンタクト部２３４ａ−１、２３４ｂ−１、２３５ａ−１、２３５ｂ−１はそれぞれ、前述の突起Ａと同様の内向きの突起を有するとともに、ばね性を持たせるために内側に傾いている。ジャック用コネクタ２３０にプラグ用コネクタ２１０を取り付けると、内向きの突起はプラグ用コネクタ２１０の対応するコネクタ側コンタクト部２１４ａ−１、２１４ｂ−１、２１５ａ−１、２１５ｂ−１はコネクタ側コンタクト部２３４ａ−１、２３４ｂ−１、２３５ａ−１、２３５ｂ−１に係合して、これらのコネクタ側コンタクト部を外側に押し広げる。コネクタ側コンタクト２３４ａ−１、２３４ｂ−１、２３５ａ−１、２３５ｂ−２のばねの復元力により、確実な電気的接続が形成できる。
図１１Ｄに示すように、グランドコンタクト２３６は２つの基板側コンタクト部２３６−１及び２３６−２と、２つのコネクタ側コンタクト部２３６−３及び２３６−４と、ベース部２３６−５とを有する。これらのコンタクト部２３６−１〜２３６−４とベース部２３６−５は、例えば金メッキされた銅合金の平板を打ち抜き、折り曲げることで形成される単一の部材である。コネクタ側コンタクト部２３６−３と２３６−４は、ハウジング２３１に形成された孔部２４１を通り、凹部２３３内に延びている。コネクタ側コンタクト部２３６−３と２３６−４は、空間を介して対向している。コネクタ側コンタクト部２３６−３と２３６−４はそれぞれ内向きの突起を有するとともに、ばね性を持たせるために内側に傾いている。つまり、コネクタ側コンタクト部２３６−３、２３６−４は、図１１Ｃに示すコネクタ側コンタクト部２３４ａ−１、２３５ａ−１と同様である。ジャック用コネクタ２３０にプラグ用コネクタ２１０を取り付けると、コネクタ側コンタクト部２３６−３と２３６−４の突起はプラグ用コネクタ２１０の対応するグランドコンタクト２１６に係合してこれらのコネクタ側コンタクト部を外側に押し広げる。これにより、復元力を利用した確実な電気的接続が形成できる。実装側コンタクト部２３６−１と２３６−２は、ベース２３６−５に対し略９０°外側に屈曲しており、かつ逆方向に延びている。
このように、配線基板側には、基板側グランドコンタクト部２３６−１を隔てて、基板側コンタクト部２３４ａ−２と２３４ｂ−２の対が複数個配列された列と、基板側グランドコンタクト部２３６−２を隔てて、基板側コンタクト部２３５ａ−２と２３５ｂ−２の対が複数個配列された列とが形成される。そして、これら２列の基板コンタクト部は同一レベルで反対方向に延出している。基板コンタクト部２３４ａ−２、２３４ｂ−２と基板側グランドコンタクト部２３６−１とは例えば、同一ピッチで整列される。基板コンタクト部２３５ａ−２、２３５ｂ−２と基板側グランドコンタクト部２３６−２も同様である。
１対の基板側コンタクト部２３４ａ−２と２３４ｂ−２とは平行かつ同一長さなので、配線基板上において信号を同一位相で平衡伝送することができる。同様に、１対の基板側コンタクト部２３５ａ−２と２３５ｂ−２とは平行かつ同一長さなので、配線基板上において信号を同一位相で平衡伝送することができる。この結果、従来のように位相差に起因したノイズの発生を防止することができ、特性インピーダンスを安定に保つことができる。基板側コンタクト部２３４ａ−２と２３４ｂ−２、２３５ａ−２と２３５ｂ−２は一様に隣接しているので、配線基板上の対となる配線の長さを容易に同一にすることができ、配線基板の配線設計及び配線形成作業を容易に行うことができる。更に、２列配列であっても、各信号コンタクト対は全長にわたり隣接しているので、良好な平衡伝送を高密度で実現することができる。
なお、ジャック用コネクタ２３０とプラグ用コネクタ２１０とを接続した状態では、プラグ用コネクタ２１０のグランドコンタクト２１６が、列方向に隣接する信号コンタクト対の間に挿入されることになり、ジャック用コネクタ２３０の列方向に隣接する信号コンタクト対は良好に遮蔽される。
第４実施形態
次に、本発明の第４実施形態によるコネクタを説明する。
図１２Ａ〜１２Ｄは、第４実施形態によるジャック用コネクタ２５０を示す図である。図１２Ａコネクタ２５０の斜視図、図１２Ｂはコネクタ２５０の一部切り欠き斜視図、図１２Ｃは図１２Ｂに示すＸＩＩＣ線断面図、及び図１２Ｄは図１２Ｂに示すＸＩＩＤ線断面図である。ジャック用コネクタ２５０は、前述のプグ用コネクタ２１０と対をなすものである。
コネクタ２５０は、凸部２５２を持つハウジング２５１を有する。ハウジング２５１は例えば、ポリエステルや液晶ポリマー系の樹脂などの絶縁物質で形成されている。凸部２５２はコネクタ２５０の長手方向に延びており、内部に凹部２５３を有する。この凹部２５３内にコネクタ２１０のコンタクト支持部２１３が嵌り込む。凹部２５３内には、信号コンタクト及びグランドコンタクトが２列に配列されている。一方の列は信号コンタクト２６４ａと２６４ｂとを有し、他方の列は信号コンタクト２６５ａと２６５ｂとを有する。１つの信号コンタクト２６４ａと１つの信号コンタクト２６４ｂとは対となり、１Ｇｂｉｔ／ｓ以上の信号の平衡伝送に供される。このような信号コンタクトの対が複数個、平行に離間して配置されており、１つの列を構成している。同様に、１つの信号コンタクト２６５ａと１つの信号コンタクト２６５ｂとは対となり、平衡伝送に供される。
対となる信号コンタクト２６４ａと２６４ｂは、全長にわたり隣接している（一様に隣接しているとも言える）。また、対となる信号コンタクト２６４ａと２６４ｂは全長にわたり平行であるとも言える（同一の距離で隔てられているとも言える）。このような配置は、前述した従来技術と大きくことなる。
このような信号コンタクトの対が複数個、平行に離間して配置されており、もう１つの列を構成している。このように、コネクタ２５０は、２列に配置された複数の信号コンタクト２６４ａ、２６４ｂ、２６５ａ、２６５ｂを有する。
なお、各信号コンタクト２６４ａと２６４ｂは細長（ピン状）で同じ長さの単一部材であり、例えば金メッキされた銅合金の平板を打ち抜き、折り曲げ加工することで形成されるものである。信号コンタクト２６５ａと２６５ｂも同様である。ただし、信号コンタクト２６５ａと２６５ｂの長さは、信号コンタクト２６４ａと２６４ｂと同一か、又は中間部の屈曲の度合いによっては異なる場合もある。
ハウジング２５１内部には複数の角穴が設けられ、各角穴内にグランドコンタクト２６６が配置されている。グランドコンタクト２６６は、複数の信号コンタクト２６４ａと２６４ｂを有する列を複数対の信号コンタクトに区分けし、同様に複数の信号コンタクト２６５ａと２６５ｂを有する列を複数対の信号コンタクトを区分けするように配置されている。従って、隣接するグランドコンタクト２６６間には、一方の列にある１対の信号コンタクト２６４ａと２６４ｂと、他方の列にある１対に信号コンタクト２６５ａと２６５ｂとが位置している。
図１２Ｃに示すように、信号コンタクト２６４ａはプラグ用コネクタ２１０の信号コンタクト部２１４ａ−１に接続するコネクタ側コンタクト部２６４ａ−１と、基板側のコンタクト部２６４ａ−２と、これらの間の中間部２６４ａ−３とを有する単一の部材である。コネクタ側コンタクト部２６４ａ−１は、ハウジング２３１に形成された孔部を通り、凹部２５３内に延びている。コネクタ側コンタクト部２６４ａ−１は、コネクタ２５０を配線基板に実装した状態では、この配線基板と略平行に延びる。基板側コンタクト部２６４ａ−２は、実装基板（図示していない）の実装面上に設けられたパッドなどの接続端子に接続可能なように延びている。空間を介してコンタクト２６４ａに対向するコンタクト２６５ａも同様に、プラグ用コネクタ２１０の信号コンタクト２１５ａ−１に接続するコネクタ側コンタクト部２６５ａ−１と、基板側のコンタクト部２３５ａ−２と、これらを接続する中間部２６５ａ−３とを有する単一の部材である。コネクタ側コンタクト部２６５ａ−１は、ハウジング２５１に形成された孔部を通り、凹部２５３内に延びている。基板側コンタクト部２６５ａ−２は、実装基板の実装面上に設けられたパッドなどの接続端子に接続可能なように延びている。そして、基板側コンタクト部２６４ａ−２と２６５ａ−２とは、逆方向に延びている。信号コンタクト２６４ｂも上記信号コンタクト２６４ａと同様に形成され、信号コンタクト２６５ｂも上記信号コンタクト２６５ａと同様に形成されている。
この結果、コネクタ側コンタクト部２６４ａ−１、２６４ｂ−１、２６５ａ−１、２６５ｂ−１と、基板側コンタクト部２６４ａ−２、２６４ｂ−２とは同一方向に延出し、基板側コンタクト部２６５ａ−２と２６５ｂ−２は逆方向に延出している。
コネクタ側コンタクト部２６４ａ−１、２６４ｂ−１、２６５ａ−１、２６５ｂ−１はそれぞれ、内向きの突起を有するとともに、ばね性を持たせるために内側に傾いている。ジャック用コネクタ２５０にプラグ用コネクタ２１０を取り付けると、下向きの突起はプラグ用コネクタ２１０の対応するコネクタ側コンタクト部２１４ａ−１、２１４ｂ−１、２１５ａ−１、２１５ｂ−１はコネクタ側コンタクト部２３４ａ−１、２３４ｂ−１、２３５ａ−１、２３５ｂ−１に係合して、これらのコネクタ側コンタクト部を外側に押し広げる。ばねの復元力を利用して、確実な電気的接続が形成できる。
図１２Ｄに示すように、グランドコンタクト２６６は２つの基板側コンタクト部２６６−１及び２６６−２と、２つのコネクタ側コンタクト部２６６−３及び２６６−４と、ベース部２６６−５とを有する。これらのコンタクト部２６６−１〜２６６−４とベース部２６６−５は、例えば金メッキされた銅合金の平板を打ち抜き、折り曲げることで形成される単一の部材である。コネクタ側コンタクト部２６６−３と２６６−４は、ハウジング２３１に形成された孔部を通り、凹部２５３内に延びている。コネクタ側コンタクト部２６６−３と２６６−４は、空間を介して対向している。コネクタ側コンタクト部２６６−３と２６６−４はそれぞれ、内向きの突起を有するとともに、ばね性を持たせるために内側に傾いている。つまり、コネクタ側コンタクト部２６６−３、２６６−４は、図１２Ｃに示すコネクタ側コンタクト部２６４ａ−１、２６５ａ−１と同様である。ジャック用コネクタ２５０にプラグ用コネクタ２１０を取り付けると、コネクタ側コンタクト部２６６−３と２６６−４の突起はプラグ用コネクタ２１０の対応するグランドコンタクト２１６に係合してこれらのコネクタ側コンタクト部を外側に押し広げる。これにより、確実な電気的接続が形成できる。実装側コンタクト部２６６−１と２３６−２は、ベース２３６−５に対し略９０°外側に屈曲しており、かつ逆方向に延びている。このように、配線基板側には、基板側グランドコンタクト部２６６−１を隔てて、基板側コンタクト部２６４ａ−２と２６４ｂ−２の対が複数個配列された列と、基板側グランドコンタクト部２６６−２を隔てて、基板側コンタクト部２６５ａ−２と２６５ｂ−２の対が複数個配列された列とが形成され、これら２列のコンタクト部は同一面（実装面）上を反対方向に延びている配置が形成されている。
１対の基板側コンタクト部２６４ａ−２と２６４ｂ−２とは平行かつ同一長さなので、信号を同一位相で平衡伝送することができる。同様に、１対の基板側コンタクト部２６５ａ−２と２６５ｂ−２とは平行かつ同一長さなので、信号を同一位相で平衡伝送することができる。この結果、従来のように位相差に起因したノイズの発生を防止することができ、特性インピーダンスを安定に保つことができる。基板側コンタクト部２６４ａ−２と２６４ｂ−２、２６５ａ−２と２６５ｂ−２は一様に隣接しているので、配線基板上の対となる配線の長さを容易に同一にすることができ、配線基板の配線設計及び配線形成作業を容易に行うことができる。
なお、ジャック用コネクタ２５０とプラグ用コネクタ２１０とを接続した状態では、プラグ用コネクタ２１０のグランドコンタクト２１６が、列方向に隣接する信号コンタクト対の間に挿入されることになり、ジャック用コネクタ２５０の列方向に隣接する信号コンタクト対は良好に遮蔽される。
第５実施形態
次に、本発明の第５実施形態によるコネクタを説明する。
図１３Ａ〜１３Ｄは、第５実施形態によるプラグ用コネクタ２７０を示す図である。図１３Ａはコネクタ２７０の斜視図、図１３Ｂはコネクタ２７０の一部切り欠き斜視図、図１３Ｃは図１３Ｂに示すＸＩＩＩＣ線断面図、及び図１３Ｄは図１３Ｂに示すＸＩＩＩＤ線断面図である。前述した各実施形態によるコネクタは、配線基板の一実装面上に実装されるタイプであるが、第５実施形態によるコネクタ２７０は、配線基板を挟み込むように実装されるもので、後述する基板側コンタクト部は配線基板の対向する２面上に設けられた接続端子に接続可能である。
コネクタ２７０は、凹部２７２を持つハウジング２７１を有する。ハウジング２７１は例えば、ポリエステルや液晶ポリマー系の樹脂などの絶縁物質で形成されている。凹部２７２内には、コネクタ２７０の長手方向に延びるコンタクト支持部２７３を有する。コンタクト支持部２７３は例えばハウジング２７１と一体構成であり、略平板状である。コンタクト支持部２７３は２つの対向する面を有し、それぞれの面上に信号コンタクト２７４ａ、２７４ｂ、２７５ａ、２７５ｂが配置されている。１つの信号コンタクト２７４ａと１つの信号コンタクト２７４ｂは対となり、１Ｇｂｉｔ／ｓ以上の信号の平衡伝送に供される。つまり、１対の信号コンタクト２７４ａと２７４ｂは大きさが同じで極性が逆の信号を伝送する。
対となる信号コンタクト２７４ａと２７４ｂは、全長にわたり隣接している。言い換えれば、一様に隣接しているとも言える。また、対となる信号コンタクト２７４ａと２７４ｂは全長にわたり平行、つまり同一の距離で隔てられているとも言える。
このような信号コンタクト２７４ａと２７４ｂからなる対が複数個、コンタクト支持部２７３の一方の面側に、平行に離間して配置されている。換言すれば、信号コンタクト２７４ａ、２７４ｂはハウジング２７１の長手方向に離間して一列に配置されている。同様に、１つの信号コンタクト２７５ａと１つの信号コンタクト２７５ｂは対となり、平衡伝送に供される。信号コンタクト２７５ａと２７５ｂとからなる対が複数個、コンタクト支持部２７３の他方の面側に平行に離間して配置されている。換言すれば、信号コンタクト２７５ａ、２７５ｂはハウジング２７１の長手方向に離間して一列に配置されている。このように、コネクタ２７０は、複数の信号コンタクト２７４ａと２７４ｂを有する列と、信号コンタクト２７５ａと２７５ｂを有する列との２列構成である。
なお、各信号コンタクト２７４ａ、２７４ｂ、２７５ａ、２７５ｂは細長で同一長さの単一部材であり、例えば金メッキされた銅合金の平板を打ち抜き、折り曲げ加工することで形成されるものである。
コンタクト支持部２７３には複数の角穴が設けられ、各角穴内にグランドコンタクト２７６が配置されている。グランドコンタクト２７６は、複数の信号コンタクト２７４ａと２７４ｂを有する列を複数対の信号コンタクトに区分し、同様に複数の信号コンタクト２７５ａと２７５ｂを有する列を複数対の信号コンタクトに区分けするように配置されている。従って、隣接するグランドコンタクト２７６間には、一方の列にある１対の信号コンタクト２７４ａと２７４ｂと、他方の列にある１対に信号コンタクト２７５ａと２７５ｂとが位置している。
図１３Ｃに示すように、信号コンタクト２７４ａはジャック用コンタクト２３０や２５０に接続するコネクタ側コンタクト部２７４ａ−１と、これと一体に形成された基板側のコンタクト部２７４ａ−２とを有する。コネクタ側コンタクト部２７４ａ−１、２７５ａ−１は、ハウジング２７１に形成された孔部を通り、コンタクト支持部２７３の対向する面に沿って延びている。基板側コンタクト部２７４ａ−２、２７５ａ−２はそれぞれコネクタ側コンタクト部２７４ａ−１、２７５ａ−１に連続して一直線状であって、逆方向に延びている。また、基板側コンタクト部２７４ａ−２、２７５ａ−２は空間を介して対向しており、若干内側に屈曲している。基板側コンタクト部２７４ａ−２と２７５ａ−２の間隔は、コネクタ側コンタクト部２７４ａ−１と２７５ａ−１との間隔よりも若干狭い。基板側コンタクト部２７４ａ−２と２７５ａ−２の間に、配線基板が挿入される。基板側コンタクト部２７４ａ−２、２７４ｂ−２、２７５ａ−２、２７５ｂ−２の内側が対応するコネクタのコンタクト部に係合する。配線基板の厚みは基板側コンタクト部２７４ａ−２と２７５ａ−２が作る空間よりも大きいので、基板側コンタクト部２７４ａ−２と２７５ａ−２とは外側に押し広げられる。そして、これらの復元力により、配線基板の対向する２面上に設けられた接続電極との確実な電気的接触が形成される。信号コンタクト２７４ｂと２７５ｂも同様に形成されている。
図１３Ｄに示すように、グランドコンタクト２７６は２つの基板側コンタクト部２７６−１、２７６−２とこれらに一体に形成された板状部２７６−３とを有する。グランドコンタクト２７６は、２列構成の信号コンタクトに共通に設けられている。板状部２７６−３は、ハウジング２７１及びコンタクト支持部２７３に形成された孔部を通り、垂直に延びている。板状部２７６−３の頂部はコンタクト支持部２７３の上面から突出している。板状部２７６−３の幅は、信号コンタクト２７４ａ（２７４ｂ）と２７５ａ（２７５ｂ）との間の距離よりも大である。グランドコンタクト２７６の基板側コンタクト部２７６−１と２７６−２は同一方向に延びており、若干内側に屈曲している。基板側コンタクト部２７６−２と２７６−２は空間を介して対向しており、その間隔は基板側コンタクト部２７４ａ−２と２７５ａ−２との間隔に等しい。
このように、配線基板側には、基板側グランドコンタクト部２７６−１を隔てて、基板側コンタクト部２７４ａ−２と２７４ｂ−２の対が複数個配列された列と、基板側グランドコンタクト部２７６−２を隔てて、基板側コンタクト部２７５ａ−２と２７５ｂ−２の対が複数個配列された列とが形成され、これら２列のコンタクト部は異なる面（対向する２つの実装面）上を同じ方向（ハウジング２７１の底部から延出する方向）に延びている配置が形成されている。
１対の基板側コンタクト部２７４ａ−２と２７４ｂ−２とは平行かつ同一長さなので、配線基板上において信号を同一位相で平衡伝送することができる。同様に、１対の基板側コンタクト部２７５ａ−２と２７５ｂ−２とは平行かつ同一長さなので、配線基板上において信号を同一位相で平衡伝送することができる。この結果、従来のように位相差に起因したノイズの発生を防止することができ、特性インピーダンスを安定に保つことができる。また、配線基板上の対となる配線の長さを容易に同一にすることができ、配線基板の配線設計及び配線形成作業を容易に行うことができる。
変形例
次に、第３から第５実施形態の変形例を説明する。これらの変形例は、第３から第５の実施形態の高速信号を平衡伝送するための構成と、低速信号を伝送するための構成とを組み合わせたものである。
図１４Ａと１４Ｂは、第３実施形態のプラグ用コネクタ２１０の変形例２１０Ａを示す図である。図中、図１０Ａ〜１０Ｄと同一の構成要素には同一の参照番号を付してある。図１４Ａ、１４Ｂの参照番号２９０で示す部分は、信号コンタクトのみが配置された部分である。以下、この部分２９０を低速信号部という。低速信号部２９０には、信号コンタクトを対に（２つずつ）区分けするグランドコンタクト２１６が設けられておらず、信号コンタクトが連続して離間配置された構成である。低速信号部２９０は、高速信号を平衡伝送する信号コンタクト２１４ａと２１４ｂを有する列に連続する列と、信号コンタクト２１５ａと２１５ｂを有する列に連続する列の２列構成である。低速信号部２９０の各信号コンタクトは、信号コンタクト２１４ａ等と同一構成である。
このように、コネクタ２１０Ａは高速信号の平衡伝送と低速信号の非平衡伝送の両方を実現する複合型のコネクタである。なお、低速信号部２９０の位置は図示するものに限定されず、図の左側や中央部分にあってもよい。また、複数の低速信号部２９０が高速信号部に介在するような配置であってもよい。
図１５Ａと１５Ｂは、第３実施形態のジャック用コネクタ２３０の変形例２３０Ａを示す図である。図中、図１１Ａ〜１１Ｄと同一の構成要素には同一の参照番号を付してある。図１５Ａと１５Ｂの参照番号２９２で示す部分は、信号コンタクトのみが配置された部分である。以下、この部分２９２を低速信号部という。低速信号部２９２には、信号コンタクトを対に（２つずつ）区分けするグランドコンタクトが設けられておらず、信号コンタクトが連続して離間配置された構成である。低速信号部２９２は、高速信号を平衡伝送する信号コンタクト２３４ａと２３４ｂを有する列に連続する列と、信号コンタクト２３５ａと２３５ｂを有する列に連続する列の２列構成である。低速信号部２９２の各信号コンタクトは、信号コンタクト２３４ａ等と同一構成である。
このように、コネクタ２３０Ａは高速信号と低速信号の両方を良好に伝送できる複合型のコネクタである。なお、低速信号部２９２の位置は図示するものに限定されず、図の右側や中央部分にあってもよい。また、複数の低速信号部２９２が高速信号部に介在するような配置であってもよい。
図１６Ａと１６Ｂは、第４実施形態のジャック用コネクタ２５０の変形例２５０Ａを示す図である。図中、図１２Ａ〜１２Ｄと同一の構成要素には同一の参照番号を付してある。図１６Ａと１６Ｂの参照番号２９４で示す部分は、信号コンタクトのみが配置された部分である。以下、この部分２９４を低速信号部という。低速信号部２９４には、信号コンタクトを対に（２つずつ）区分けするグランドコンタクトが設けられておらず、信号コンタクトが連続して離間配置された構成である。低速信号部２９４は、高速信号を平衡伝送する信号コンタクト２６４ａと２６４ｂを有する列に連続する列と、信号コンタクト２６５ａと２６５ｂを有する列に連続する列の２列構成である。低速信号部２９４の各信号コンタクトは、信号コンタクト２６４ａ等と同一構成である。
このように、コネクタ２５０Ａは高速信号と低速信号の両方を良好に伝送できる複合型のコネクタである。なお、低速信号部２９４の位置は図示するものに限定されず、図の右側や中央部分にあってもよい。また、複数の低速信号部２９４が高速信号部に介在するような配置であってもよい。
図１７Ａと１７Ｂは、第５実施形態のジャック用コネクタ２７０の変形例２７０Ａを示す図である。図中、図１３Ａ〜１３Ｄと同一の構成要素には同一の参照番号を付してある。図１７Ａと１７Ｂの参照番号２９６で示す部分は、信号コンタクトのみが配置された部分である。以下、この部分２９６を低速信号部という。低速信号部２９６には、信号コンタクトを対に（２つずつ）区分けするグランドコンタクトが設けられておらず、信号コンタクトが連続して離間配置された構成である。低速信号部２９６は、高速信号を平衡伝送する信号コンタクト２７４ａと２７４ｂを有する列に連続する列と、信号コンタクト２７５ａと２７５ｂを有する列に連続する列の２列構成である。低速信号部２９６の各信号コンタクトは、信号コンタクト２７４ａ等と同一構成である。
このように、コネクタ２７０Ａは高速信号と低速信号の両方を良好に伝送できる複合型のコネクタである。なお、低速信号部２９６の位置は図示するものに限定されず、図の右側や中央部分にあってもよい。また、複数の低速信号部２９６が高速信号部に介在するような配置であってもよい。
以上、本発明の実施の形態及び変形例を説明した。上記第３〜第５実施形態の変形例は上記第１及び第２実施形態にもて起用して複合型コネクタを形成することもできる。また、第１及び第２実施形態で用いる遮蔽金属板を第３〜第５実施形態やこれらの変形例に適用することができる。更に、第３〜第５実施形態及びこれらの変形例を説明する際には、第１及び第２実施形態を説明する際に図示した基板を図示していないが、第３〜第５実施形態及びこれらの変形例によるコネクタを基板に実装して配線することで、電子装置を構成することができる。
【図面の簡単な説明】
図１Ａ及び図１Ｂはそれぞれ、従来のコネクタ装置を構成するジャック用コネクタ及びプラグ用コネクタの斜視図、
図２Ａ及び２Ｂはそれぞれ、本発明の第１実施形態によるジャック用コネクタ及びプラグ用コネクタの斜視図である。
図３は、図２Ａのジャック用コネクタのＩＩＩ−ＩＩＩ線上断面図である。
図４は、図２Ｂのプラグ用コネクタの列内用グランドコンタクト及び列間用グランドコンタクトの斜視図である。
図５は、図２Ｂのプラグ用コネクタのＶ−Ｖ線上断面図である。
図６Ａ及び６Ｂは図２Ａ及び２Ｂのジャック用コネクタ及びプラグ用コネクタの接続構造を説明するためのものであって、図６Ａは信号コンタクトを示し、図６Ｂはグランドコンタクトを示す。
図７Ａ及び７Ｂはそれぞれ、本発明の第２実施形態によるジャック用コネクタ及びプラグ用コネクタの斜視図である。
図８Ａ及び８Ｂは、図７Ａ及び７Ｂのジャック用コネクタ及びプラグ用コネクタの接続構造を説明するためのものであり、接続直前の状態を示す図７中ＩＸ−ＩＸ線上断面図である。
図９は、図７Ａ及び７Ｂのジャック用コネクタ及びプラグ用コネクタの接続構造を説明するためのものであり、接続状態を示す図７中ＩＸ−ＩＸ線上断面図である。
図１０Ａ、１０Ｂ、１０Ｃ及び１０Ｄはそれぞれ、本発明の第３実施形態によるプラグ用コネクタを示す図であって、図１０Ａはコネクタの斜視図、図１０Ｂはコネクタの一部切り欠き斜視図、図１０Ｃは図１０Ｂに示すＸＣ線断面図、及び図１０Ｄは図１０Ｂに示すＸＤ線断面図である。
図１１Ａ、１１Ｂ、１１Ｃ及び１１Ｄはそれぞれ、本発明の第３実施形態によるジャック用コネクタを示す図であって、図１１Ａはコネクタの斜視図、図１１Ｂはコネクタの一部切り欠き斜視図、図１１Ｃは図１１Ｂに示すＸＩＣ線断面図、及び図１１Ｄは図１１Ｂに示すＸＩＤ線断面図である。
図１２Ａ、１２Ｂ、１２Ｃ及び１２Ｄはそれぞれ、本発明の第４実施形態によるジャック用コネクタを示す図であって、図１２Ａはコネクタの斜視図、図１２Ｂはコネクタの一部切り欠き斜視図、図１２Ｃは図１２Ｂに示すＸＩＩＣ線断面図、及び図１２Ｄは図１２Ｂに示すＸＩＩＤ線断面図である。
図１３Ａ、１３Ｂ、１３Ｃ及び１３Ｄはそれぞれ、本発明の第５実施形態によるジャック用コネクタを示す図であって、図１３Ａはコネクタの斜視図、図１３Ｂはコネクタの一部切り欠き斜視図、図１３Ｃは図１３Ｂに示すＸＩＩＩＣ線断面図、及び図１３Ｄは図１３Ｂに示すＸＩＩＩＤ線断面図である。
図１４Ａ及び１４Ｂはそれぞれ本発明の第３実施形態によるプラグ用コネクタを示す図であって、図１４Ａはコネクタの斜視図、図１４Ｂはコネクタの一部切り欠き斜視図である。
図１５Ａ及び１５Ｂはそれぞれ本発明の第３実施形態によるジャック用コネクタを示す図であって、図１５Ａはコネクタの斜視図、図１５Ｂはコネクタの一部切り欠き斜視図である。
図１６Ａ及び１６Ｂはそれぞれ本発明の第４実施形態によるジャック用コネクタを示す図であって、図１６Ａはコネクタの斜視図、図１６Ｂはコネクタの一部切り欠き斜視図である。
図１７Ａ及び１７Ｂはそれぞれ本発明の第５実施形態によるプラグ用コネクタを示す図であって、図１７Ａはコネクタの斜視図、図１７Ｂはコネクタの一部切り欠き斜視図である。
【図１Ａ】
2003065512.tif 000003
【図１Ｂ】
2003065512.tif 000004
【図２Ａ】
2003065512.tif 000005
【図２Ｂ】
2003065512.tif 000006
【図３】
2003065512.tif 000007
【図４】
2003065512.tif 000008
【図５】
2003065512.tif 000009
【図６Ａ】
2003065512.tif 000010
【図６Ｂ】
2003065512.tif 000011
【図７Ａ】
2003065512.tif 000012
【図７Ｂ】
2003065512.tif 000013
【図８Ａ】
2003065512.tif 000014
【図８Ｂ】
2003065512.tif 000015
【図９】
2003065512.tif 000016
【図１０Ａ】
2003065512.tif 000017
【図１０Ｂ】
2003065512.tif 000018
【図１０Ｃ】
2003065512.tif 000019
【図１０Ｄ】
2003065512.tif 000020
【図１１Ａ】
2003065512.tif 000021
【図１１Ｂ】
2003065512.tif 000022
【図１１Ｃ】
2003065512.tif 000023
【図１１Ｄ】
2003065512.tif 000024
【図１２Ａ】
2003065512.tif 000025
【図１２Ｂ】
2003065512.tif 000026
【図１２Ｃ】
2003065512.tif 000027
【図１２Ｄ】
2003065512.tif 000028
【図１３Ａ】
2003065512.tif 000029
【図１３Ｂ】
2003065512.tif 000030
【図１３Ｃ】
2003065512.tif 000031
【図１３Ｄ】
2003065512.tif 000032
【図１４Ａ】
2003065512.tif 000033
【図１４Ｂ】
2003065512.tif 000034
【図１５Ａ】
2003065512.tif 000035
【図１５Ｂ】
2003065512.tif 000036
【図１６Ａ】
2003065512.tif 000037
【図１６Ｂ】
2003065512.tif 000038
【図１７Ａ】
2003065512.tif 000039
【図１７Ｂ】
2003065512.tif 000040
【手続補正書】
【提出日】平成17年1月28日(2005.1.28)
【手続補正１】
【補正対象書類名】明細書
【補正対象項目名】全文
【補正方法】変更
【補正の内容】
【書類名】    明細書
【特許請求の範囲】
【請求項１】  ２列に配置された複数の信号コンタクトと、各列において当該複数の信号コンタクトを２個ずつ対となるように区分けする複数のグランドコンタクトとを有し、対となる信号コンタクトは全長にわたり隣接して配置されていることを特徴とするコネクタ。
【請求項２】  一方の列を形成する複数対の信号コンタクトの基板側コンタクト部と、他方の列を形成する複数対の信号コンタクトの基板側コンタクト部とは、逆方向に延びていることを特徴とする請求項１記載のコネクタ。
【請求項３】  一方の列を形成する複数対の信号コンタクトの基板側コンタクト部と、他方の列を形成する複数対の信号コンタクトの基板側コンタクト部とは対向し、かつ同一方向に延びていることを特徴とする請求項１記載のコネクタ。
【請求項４】  隣接するグランドコンタクトの間には、一方の列にある１対の信号コンタクトと他方の列にある１対の信号コンタクトが位置していることを特徴とする請求項１記載のコネクタ。
【請求項５】  隣接するグランドコンタクトの間には、一方の列にある１対の信号コンタクトと、絶縁部材を介して対向する他方の列にある１対の信号コンタクトが位置していることを特徴とする請求項１記載のコネクタ。
【請求項６】  隣接するグランドコンタクトの間には、一方の列にある１対の信号コンタクトと、空間を介して対向する他方の列にある１対の信号コンタクトが位置していることを特徴とする請求項１記載のコネクタ。
【請求項７】前記複数のグランドコンタクトの各々は板状であって、各列に共通に設けられていることを特徴とする請求項１記載のコネクタ。
【請求項８】  前記複数のグランドコンタクトの各々は各列に共通に設けられており、かつ対向する先端部を有することを特徴とする請求項１記載のコネクタ。
【請求項９】  前記複数のグランドコンタクトは各々１対のコンタクト部を有し、一方のコンタクト部は一方の列を構成する複数対の信号コンタクトの基板側コンタクト部とともに一列に配置され、他方のコンタクト部は他方の列を構成する複数対の信号コンタクトの基板側コンタクト部とともに一列に配置されていることを特徴とする請求項１記載のコネクタ。
【請求項１０】  相手方コネクタに接続する前記複数の信号コンタクトの部分と、基板側の部分とは、直交する方向に延出していることを特徴とする請求項１記載のコネクタ。
【請求項１１】  相手方コネクタに接続する前記複数の信号コンタクトの部分と、基板側の部分とは、逆向きの方向に延出していることを特徴とする請求項１記載のコネクタ。
【請求項１２】  前記２列に配置された複数の信号コンタクトは、コネクタの長手方向に離間して配列されていることを特徴とする請求項１記載のコネクタ。
【請求項１３】  前記コネクタは更に、各列に設けられた複数の別の信号コンタクトを有し、各列において当該複数の別の信号コンタクトは、前記グランドコンタクトを介することなく離間して配置されていることを特徴とする請求項１ないし１２のいずれか一項記載のコネクタ。
【請求項１４】  配線基板と該配線基板上に実装されたコネクタとを有し、該コネクタは請求項１ないし１３のいずれか一項記載のコネクタであることを特徴とする電子装置。
【発明の詳細な説明】
【０００１】
【発明の属する技術分野】
本発明は、電算機、サーバー、ルータ等に使用されるコネクタに関し、一層詳細には、対になった信号コンタクトを有し、特に平衡伝送用に好適なコネクタに関する。
【従来の技術】
近年、電算機及びそのネットワークの発達に伴い、大量のデータを伝送することが求められている。特に、動画像の場合、例えば、１Ｇｂｉｔ／ｓ以上の高速度で伝送する必要がある。
【０００２】
このようなデータの伝送方式としては、従来、コストメリットの点から不平衡伝送方式が広く採用されている。しかしながら、不平衡伝送方式は、ノイズの影響を受けやすいという問題がある。このため、上記のような高速伝送用としては、ノイズに強い平衡伝送方式が好適である。
【０００３】
平衡伝送方式のコネクタ装置として、従来、例えば、図１Ａ、図１Ｂに示すものが用いられている。図１Ａに示すコネクタ装置は、ジャック用コネクタ１とプラグ用コネクタ２が対になって構成されている。
【０００４】
ジャック用コネクタ１は、図１Ａ中のＸ１−Ｘ２方向に長尺に形成された絶縁体材料からなるハウジング３ａに、対になる信号コンタクト４ａ、４ｂとグランドコンタクト５ａが複数組配設されている。
【０００５】
ハウジング３ａはＸ１−Ｘ２方向に長尺な凹部６ａが形成されている。各対の信号コンタクト４ａ、４ｂは、ハウジング３ａの底壁部３ａ−１からその凹部６ａ内に側壁部３ａ−２、３ａ−３に沿って上端部４ａ−１、４ｂ−１がＺ１方向に突設されており、各対毎にＹ１−Ｙ２方向に対向して配置されている。各対の信号コンタクト４ａ、４ｂの間には、フォーク状の先端部５ａ−１を有するグランドコンタクト５ａが配置されている。
【０００６】
信号コンタクト４ａ、４ｂ及びグランドコンタクト５ａの下端部４ａ−２、４ｂ−２、５ａ−２（参照符号５ａ−２は図示せず。）は、それぞれＺ２方向に延出するピン状に形成されており、基板８ａに形成された孔部７ａに挿通されて、基板８ａ上の図示しないプリント配線に接続される。
【０００７】
プラグ用コネクタ２は、ジャック用コネクタ１に対応した形状を有し、図１Ｂ中のＸ１−Ｘ２方向に長尺に形成された絶縁体材料からなるハウジング３ｂに対となる信号コンタクト４ｃ、４ｄとグランドコンタクト５ｂが複数組配設されている。
【０００８】
ハウジング３ｂは、形成された凹部６ｂにＸ１−Ｘ２方向に所定のピッチで突設部３ｂ−１が形成されている。各対の信号コンタクト４ｃ、４ｄは、ハウジング３ｂの底壁部３ｂ−２からその突設部３ｂ−１のＹ１−Ｙ２方向両側に沿ってピン状の上端部４ｃ−１、４ｄ−１が突設されている。信号コンタクト４ｃ、４ｄの隣り合う各対間には、平板状の先端部５ｂ−１を有するグランドコンタクト５ｂが配置されている。
【０００９】
信号コンタクト４ｃ、４ｄ及びグランドコンタクト５ｂの下端部４ｃ−２、４ｄ−２、５ｂ−２（図に現われない）は、それぞれ図１Ｂ中Ｙ１−Ｙ２に屈折して先端部が舌片状に形成されており、その先端部が基板８ｂに形成された図示しないパッドに固定され、基板８ｂ上の図示しないプリント配線に接続される。
【００１０】
ジャック用コネクタ１にプラグ用コネクタ２が接続されることにより、信号コンタクト４ａ、４ｂに信号コンタクト４ｃ、４ｄが当接し、グランドコンタクト
５ａにグランドコンタクト５ｂが挟持され、それぞれ電気的に接続される。この場合、例えば、信号コンタクト４ａ、４ｃに＋信号が伝送され、信号コンタクト４ｂ、４ｄに−信号が伝送される。
【発明が解決しようとする課題】
しかしながら、上記した従来のコネクタ装置の場合、対となる下端部４ｃ−２と４ｄ−２は互いに逆方向に延出しているため、これらのカップリングがなくなってしまい、良好な平衡伝送が行えないという問題点がある。
【００１１】
また、ハウジング３ａ、３ｂの長尺な両壁部のいずれか一方向側（図１Ｂ中、Ｙ１側又はＹ２側）から配線の一端を引き出して一方向側の延長上の所定の位置に設けられた端子部等に配線の他端を接続するように配線パターンを基板上に形成すると、各対の信号コンタクトのいずれか一方が端子部等から遠い位置にあるため、端子部等と各対の信号コンタクトの双方との間に同一長さの配線を設けることができない。この配線長の違いは平衡伝送される各対の信号コンタクトの信号に位相差を生じ、ノイズ発生の一因となり、特性インピーダンスを不安定な状態にするおそれがある。
【００１２】
従って、ノイズの発生を防止し、特性インピーダンスを安定にするために、端子部等から近い位置にある信号コンタクトに接続される配線の長さを、端子部等から遠い位置にある信号コンタクトに接続される配線の長さと同じ長さに形成することが行われている。
【００１３】
しかしながら、このように配線に無駄な部分を設けること、言いかえれば、余長を形成することは、基板の配線設計及び配線形成作業を煩雑にする。
【００１４】
本発明は、上記の課題に鑑みてなされたものであり、複数対の信号コンタクトが筐体に配設されたコネクタにおいて、基板の配線設計及び配線形成作業が容易なコネクタを提供することを目的とする。
【課題を解決するための手段】
本発明は２列に配置された複数の信号コンタクトと、各列において当該複数の信号コンタクトを２個ずつ対となるように区分けする複数のグランドコンタクトとを有し、対となる信号コンタクトは全長にわたり隣接して配置されていることを特徴とするコネクタである。対をなす信号コンタクトの全長にわたり隣接して配置されているため、信号コンタクトのどの部分であってもカップリングが形成され、良好な平衡伝送が実現できる。また、基板にコネクタを実装する場合に、対となる信号コンタクトは隣接しているため、１対の信号コンタクトのそれぞれと基板上の端子部等とを接続する１対の配線の長さを同一にすることができる。よって、基板上に余分な配線部分を設ける必要がなく、基板の配線設計及び配線形成作業が容易である。
【００１５】
例えば、上記構成において、一方の列を形成する複数対の信号コンタクトの基板側コンタクト部と、他方の列を形成する複数対の信号コンタクトの基板側コンタクト部とは、逆方向に延びている。これにより、対をなす信号コンタクトが隣接して配置された状態で互いに異なる方向に延出しているため、良好な平衡伝送を高密度で実現することができる。
【００１６】
例えば、上記構成において、一方の列を形成する複数対の信号コンタクトの基板側コンタクト部と、他方の列を形成する複数対の信号コンタクトの基板側コンタクト部とは対向し、かつ同一方向に延びている。これにより、対をなす信号コンタクトを隣接した状態で基板の対向する２面上に配置できるため、良好な平衡伝送を高密度で実現することができる。
【００１７】
例えば、上記構成において、隣接するグランドコンタクトの間には、一方の列にある１対の信号コンタクトと他方の列にある１対の信号コンタクトが位置している。これにより、各列において、隣接する信号コンタクト対を良好に遮蔽することができる。
【００１８】
例えば、上記構成において、隣接するグランドコンタクトの間には、一方の列にある１対の信号コンタクトと、絶縁部材を介して対向する他方の列にある１対の信号コンタクトが位置している。これにより、いわゆるプラグ用のコネクタを実現することができる。
【００１９】
例えば、上記構成において、隣接するグランドコンタクトの間には、一方の列にある１対の信号コンタクトと、空間を介して対向する他方の列にある１対の信号コンタクトが位置している。これにより、いわゆるジャック用のコネクタを実現することができる。
【００２０】
例えば、上記構成において、前記複数のグランドコンタクトの各々は板状であって、各列に共通に設けられている。これはグランドコンタクトの一構成例である。
【００２１】
例えば、上記構成において、前記複数のグランドコンタクトの各々は各列に共通に設けられており、かつ対向する２つの基板側コンタクト部を有する。グランドコンタクトを信号コンタクトと同様にして基板側へ引き出す一構成を実現することができる。
【００２２】
例えば、上記構成において、前記複数のグランドコンタクトは各々１対のコンタクト部を有し、一方のコンタクト部は一方の列を構成する複数対の信号コンタクトの基板側コンタクト部とともに一列に配置され、他方のコンタクト部は他方の列を構成する複数対の信号コンタクトの基板側コンタクト部とともに一列に配置されている。グランドコンタクトの基板側コンタクト部と信号コンタクトの基板側コンタクト部が一列配置されるので、基板側の配線設計が容易及び配線形成作業が一層容易となる。
【００２３】
例えば、上記構成において、相手方コネクタに接続する前記複数の信号コンタクトの第１の部分と基板上の端子に接続する第２の部分とは、直交する方向に延出している。また、これとは異なり、上記構成において、相手方コネクタに接続する前記複数の信号コンタクトの第１の部分と基板上の端子に接続する第２の部分とは逆向きの方向に延出している。
【００２４】
例えば、上記構成において、前記２列に配置された複数の信号コンタクトは、コネクタの長手方向に離間して配列されている。
【００２５】
例えば、上記構成において、前記コネクタは更に、各列に設けられた複数の別の信号コンタクトを有し、各列において当該複数の別の信号コンタクトは、前記グランドコンタクトを介することなく離間して配置されている。グランドコンタクトを介さない信号コンタクトの配列は比較的低速な非平衡伝送に適している。従って、上記構成により平衡伝送と非平衡伝送の両方に対応する複合型コネクタを実現することができる。
【００２６】
また、本発明は、配線基板と該配線基板上に実装されたコネクタとを有し、該コネクタは上記コネクタであることを特徴とする電子装置を含む。例えば、この電子装置は上記いずれかのコネクタを装着したプリント配線基板である。
【発明の実施の形態】
本発明に係るコネクタの好適な実施の形態（以下、本実施の形態例という。）について、図を参照して、詳細に説明する。
第１実施形態
まず、本発明の第１実施形態によるコネクタについて図２Ａ、２Ｂ〜図６Ａ、６Ｂを参照して説明する。
【００２７】
本実施態のコネクタはジャック用コネクタと、これに接続可能なプラグ用コネクタである。ジャック用コネクタとプラグ用コネクタを対にして基板上に設けることで、複数の基板を接続することができる。なお、本発明のコネクタを実装した配線基板は、本発明の電子装置の一実施形態である。
【００２８】
ジャック用コネクタ１０は、図２Ａ中Ｘ１−Ｘ２方向に長尺に形成された絶縁体材料からなるハウジング（筐体）１２に、複数対の信号コンタクト１４ａ、１４ｂの列と複数対の信号コンタクト１１４ａ、１１４ｂの列とが計２列配列されるとともに、グランドコンタクト１６が複数配設されている。
【００２９】
ハウジング１２は、Ｘ１−Ｘ２方向に長尺な１本のスリット１８と、スリット１８に直交する短尺な複数本のスリット２０が形成されている。スリット１８とスリット２０でコ字状に三方を囲まれた各領域には、それぞれ１対の孔部２２ａ、２２ｂが形成されており、従って、孔部２２ａ、２２ｂは、Ｘ１−Ｘ２方向側に複数対配列されるとともに、Ｙ１−Ｙ２方向に２列配列された構成とされている。孔部はＺ１側開口端が幅狭にされている。
【００３０】
信号コンタクト１４ａ、１４ｂ、１１４ａ、１１４ｂは、略Ｌ字状に形成され、上端部１４ａ−１、１４ｂ−１、１１４ａ−１、１１４ｂ−１が山形状に屈折し（図６Ａ参照）、下端部１４ａ−２、１４ｂ−２、１１４ａ−２、１１４ｂ−２が直角に屈折している（参照符号１１４ｂ−１、１１４ｂ−２は図示せず）。上端部１４ａ−１、１４ｂ−１、１１４ａ−１、１１４ｂ−１は相手方コネクタに接続する部分で、以下の説明ではコネクタ側コンタクト部と言うことがある。また、下端部１４ａ−２、１４ｂ−２、１１４ａ−２、１１４ｂ−２は基板側のコンタクトを形成するための部分で、以下の説明では基板側コンタクト部と言うことがある。
【００３１】
信号コンタクト１４ａ及び信号コンタクト１４ｂの２本又は信号コンタクト１１４ａ及び信号コンタクト１１４ｂの２本でそれぞれ１対に構成される。信号コンタクト１４ａ、１４ｂ、１１４ａ、１１４ｂは、各対毎に１対の孔部２２ａ又は２２ｂのＺ２側端部から挿通され、上端部１４ａ−１、１４ｂ−１、１１４ａ−１、１１４ｂ−１が孔部２２ａ又は２２ｂの側壁に沿って立設するとともに、信号コンタクト１４ａ、１４ｂの下端部１４ａ−２、１４ｂ−２がハウジング１２の下端部から屈折してＹ２側、すなわち、ハウジング１２の長尺な側壁１２ａ側に平行に延出し、一方、信号コンタクト１１４ａ、１１４ｂの下端部１１４ａ−２、１１４ｂ−２がハウジング１２の下端部から屈折してＹ１側、すなわち、ハウジング１２の長尺な側壁１２ｂ側に平行に延出している。従って、対の信号コンタクトは、Ｘ１−Ｘ２方向側に複数組配列されるとともに、Ｙ１−Ｙ２方向に２列配列された構成とされている。
【００３２】
グランドコンタクト１６は、図３に示すように、上端部１６ａがＹ１−Ｙ２方向に二股に分岐したフォーク状に形成され上端部１６ａの山形状の頂部が相互に近接するとともに、下端部１６ｂもＹ１−Ｙ２方向の両側に分岐し、更に水平方向に屈折して形成されている。グランドコンタクト１６は、ハウジング１２のＸ１−Ｘ２方向の列内に配列された、隣り合う各対の信号コンタクト１４ａ、１４ｂ又は１１４ａ、１１４ｂを遮蔽する列内グランドコンタクトであり、上端部１６ａがハウジング１２のスリット２０の幅狭な開口２０ａの直下まで突設されるとともに、下端部１６ｂがハウジングのＹ１及びＹ２方向の両側に延出して、配置されている。なお、ハウジング１２の長手方向の両側壁１２ａ、１２ｂの外側にはそれぞれ遮蔽シールド層２４が設けられている。
【００３３】
信号コンタクト１４ａ、１４ｂ、１１４ａ、１１４ｂ及びグランドコンタクト１６の各下端部１４ａ−２、１４ｂ−２、１１４ａ−２、１１４ｂ−２、１６ｂは、配線基板（本明細書では、実装基板又は単に基板とも言う）２６に形成された図示しないパッドに接合され、基板２６上に形成される図示しないプリント配線に接続される。
【００３４】
プラグ用コネクタ２８は、図２Ｂ中Ｘ１−Ｘ２方向に長尺に形成された絶縁体材料からなるハウジング（筐体）３０に複数対の信号コンタクト３２ａ、３２ｂの列と複数の信号コンタクト１３２ａ、１３２ｂの列が計２列に配置されるとともに、列内用グランドコンタクト３４と列間用グランドコンタクト３６が配置されている。
【００３５】
ハウジング３０は、Ｘ１−Ｘ２方向に長尺な凹部３８が形成されている。図５に示すように、凹部３８に連通して複数の孔部４０ａ、４０ｂが底壁３０ａに形成されるとともに、底壁３０ａには、更に、２つの孔部４０ａ、４０ｂ毎に区画するスリット４２が縦横に形成され、また、ハウジング３０の側壁の内部に沿って２本のスリット４４が形成されている。この孔部４０ａ、４０ｂ及びスリット４２の配置状態は、上記ジャック用コネクタ１０の孔部２２ａ、２２ｂ及びスリット１８、２０の配置状態に対応する。
【００３６】
信号コンタクト３２ａ、３２ｂ、１３２ａ、１３２ｂは、略Ｌ字状に形成されている。信号コンタクト３２ａ及び信号コンタクト３２ｂの２本又は信号コンタクト１３２ａ及び信号コンタクト１３２ｂの２本でそれぞれ１対に構成される。信号コンタクト３２ａ，３２ｂ、１３２ａ、１３２ｂは、各対毎に１対の孔部４０ａ又は４０ｂのＺ２側端部から挿通され、上端部３２ａ−１、３２ｂ−１、１３２ａ−１、１３２ｂ−１が凹部３８内に立設するとともに（参照符号１３２ｂ−１は図示せず）、信号コンタクト３２ａ、３２ｂの下端部３２ａ−２、３２ｂ−２がハウジング３０の下端部からＹ２側の側壁３０ｂ側に平行に延出し、一方、信号コンタクト１３２ａ、１３２ｂの下端部１３２ａ−２、１３２ｂ−２がハウジング３０の下端部からＹ１側の側壁３０ｃ側に平行に延出している（参照符号１３２ｂ−２は図示せず。）。従って、各対の信号コンタクトは、Ｘ１−Ｘ２方向側に複数組配列されるとともに、Ｙ１−Ｙ２方向に２列配列された構成とされている。
【００３７】
列内用グランドコンタクト３４は、図４に示すように、略平板状に形成され、下側に段差上の切り欠き部３４ａが形成されるとともに、下端部３４ｂが両側に屈折して延出している。一方、列間用グランドコンタクト３６は、略平板状に形成され、上側に所定のピッチでスリット３６ａが形成されている。
【００３８】
列間用グランドコンタクト３６がハウジング３０の凹部３８のＹ１−Ｙ２側中央部に配置され、その列間用グランドコンタクト３６のスリット３６ａに切り欠き部３４ａを係合して複数の列内用グランドコンタクト３４が列間用グランドコンタクト３６と直交して配置される。従って、列間用グランドコンタクト３６は列内用グランドコンタクト３４に電気的に接続された状態にある。列内用グランドコンタクト３４は、下端部３４ｂがハウジング３０の下端部のＹ１又はＹ２方向の長尺な両側壁３０ｂ、３０ｃに延出して、配置される。
【００３９】
図２Ｂに示すように、列内用グランドコンタクト３４の幅Ｗ１が列間の信号コンタクト３２ａ、１３２ａ間又は信号コンタクト３２ｂ、１３２ｂ間の間隔Ｌ１よりも大きく形成されているため、各列の隣り合う各対の信号コンタクト３２ａ、３２ｂと信号コンタクト３２ａ、３２ｂ又は信号コンタクト１３２ａ、１３２ｂと信号コンタクト１３２ａ、１３２ｂは、Ｘ１−Ｘ２方向側には列内用グランドコンタクト３４によって完全に遮蔽されている。また、同様に、列内用グランドコンタクト３４によって仕切られた部分の列間用グランドコンタクト３６の幅Ｗ２が列内の各対の信号コンタクト３２ａ、３２ｂ間又は信号コンタクト１３２ａ、１３２ｂの間隔Ｌ２よりも大きく形成されているため、隣り合う列の各対の信号コンタクト３２ａ、３２ｂと信号コンタクト１３２ａ、１３２ｂは、Ｙ１−Ｙ２方向側には列間用グランドコンタクト３６によって完全に遮蔽されている。
【００４０】
ハウジング３０に複数対の信号コンタクト３２ａ、３２ｂ及び１３２ａ、１３２ｂと列内用グランドコンタクト３４と列間用グランドコンタクト３６が配設された状態を更に図５に断面図として示す。なお、図５に示すように、ハウジング３０の長手方向の両側壁３０ｂ、３０ｃの内側にはそれぞれ遮蔽シールド層４６が設けられ、遮蔽シールド層４６の下端部４６ａはハウジング３０の底壁３０ａを挿通している。
【００４１】
信号コンタクト３２ａ、３２ｂ、１３２ａ、１３２ｂ及び列内用グランドコンタクト３４の各下端部３２ａ−２、３２ｂ−２、１３２ａ−２、１３２ｂ−２、３４ｂは、基板４８に形成された図示しないパッドに接合され、基板４８上に形成された図示しないプリント配線に接続される。なお、遮蔽シールド層４６の下端部４６ａは、基板４８の図示しないグランド部の電気的に接続される。
【００４２】
上記のように構成されるジャック用コネクタ１０及びプラグ用コネクタ２８の接続構造について、信号コンタクトの１列分のみを図示した図６Ａ、及びグランドコンタクトを図示した図６Ｂを参照して説明する。
【００４３】
ジャック用コネクタ１０にプラグ用コネクタ２８が接続されるとき、図６Ａに示すように、信号コンタクト３２ａ、３２ｂが信号コンタクト１４ａ、１４ｂの上端部１４ａ−１、１４ｂ−１をＹ２方向に撓ませながら孔部２２ａ、２２ｂに挿入される。そして、信号コンタクト１４ａ、１４ｂの復元力によって信号コンタクト３２ａが信号コンタクト１４ａに、信号コンタクト３２ｂが信号コンタクト１４ｂにそれぞれ当接する。
【００４４】
また、図６Ｂに示すように、列内用グランドコンタクト３４がグランドコンタクト１６の上端部１６ａをＹ１、Ｙ２方向に押し広げながらスリット２０に挿入されて、グンラドコンタクト１６の復元力によってグランドコンタクト１６の上端部１６ａに挟持される。
【００４５】
従って、信号コンタクト１４ａと信号コンタクト３２ａ、信号コンタクト１４ｂと信号コンタクト３２ｂ、グランドコンタクト１６と列内グランドコンタクト３４がそれぞれ確実に電気的に接続される。信号コンタクト１１４ａと信号コンタクト１３２ａ、信号コンタクト１１４ｂと信号コンタクト１３２ｂについても同様である。なお、遮蔽シールド層２４と遮蔽シールド層４６とが摺接し、電気的に接続される。
【００４６】
これにより、ジャック用コネクタ１０が取付けられた基板２６とプラグ用コネクタ２８が取付けられた基板４８が、ジャック用コネクタ１０及びプラグ用コネクタ２８を介して上下に重なった状態で接続される。
【００４７】
各対の信号コンタクト１４ａと１４ｂ、１１４ａと１１４ｂ、３２ａと３２ｂ、１３２ａと１３２ｂは、平衡伝送用であり、例えば、信号コンタクト１４ａ、１１４ａ、３２ａ、１３２ａに＋信号が伝送され、信号コンタクト１４ｂ、１１４ｂ、３２ｂ、１３２ｂに−信号が伝送される。
【００４８】
以上説明した第１実施形態に係るプラグ用コネクタ２８及びジャック用コネクタ１０は、基板にコネクタを実装する場合に、ハウジングの長手方向と直角な方向に位置する端子部等と信号コンタクトの間を接続するとき、各対の信号コンタクトのそれぞれと端子部等とを接続する１対の配線の長さを同一にすることができるため、基板の配線設計及び配線形成作業が容易である。また、平衡伝送される各対の信号コンタクトのノイズの発生を防止し、高速信号伝送時においても特性インピーダンスの安定を図ることができる。
【００４９】
また、プラグ用コネクタ２８及びジャック用コネクタ１０は、複数対の信号コンタクトの各対間に列内グランドコンタクトが配設されているため、信号コンタクトの各対間のクロストークを軽減することができる。特に、プラグ用コネクタ２８の列内グランドコンタクトは複数対の信号コンタクトの隣り合う各対間を遮蔽する大きさに形成されているため、より効果的にクロストークを軽減することができる。
【００５０】
また、プラグ用コネクタ２８は、列間用グランドコンタクトが配設されているため、信号コンタクトの各対の列間のクロストークを軽減することができる。また、プラグ用コネクタ２８及びジャック用コネクタ１０は、ハウジングに遮蔽シールド層が形成されているため、外部からの電磁波をシールドすることができる。
第２実施形態
つぎに、本発明の第２実施形態に係るコネクタについて、図７Ａ、７Ｂ〜図９を参照して説明する。
【００５１】
本実施形態に係るコネクタは、ジャック用コネクタとプラグ用のコネクタを含む。第１実施形態に係るコネクタであるジャック用コネクタ１０、又は、プラグ用コネクタ２８と同様に、第２実施形態によるジャック用コネクタとプラグ用コネクタを対にして基板上に設けることで、複数の基板を接続することができる。ただし、第１実施形態に係るコネクタでは、基板を上下に重ねて面間で接続する構造であるのに対して、以下説明する第２実施形態に係るコネクタは基板の端部間を水平方向に接続する点において、両者は相違する。
【００５２】
図７Ａ、７Ｂに示すように、ジャック用コネクタ５０及びプラグ用コネクタ５２は、それぞれ、１対の信号コンタクト（以下、単にコンタクトということがある）５４ａ、５４ｂとグランドコンタクト（以下、単にコンタクトということがある）５８、１対の信号コンタクト（以下、単にコンタクトということがある）５６ａ、５６ｂとグランドコンタクト（以下、単にコンタクトということがある）６０をそれぞれ１組とし、複数組が１列に並んで配列されている。各対の信号コンタクト５４ａ、５４ｂ及び信号コンタクト５６ａ、５６ｂは平衡伝送用であり、例えば、信号コンタクト５４ａ、５６ａに＋信号が伝送され、信号コンタクト５４ｂ、５６ｂに−信号が伝送される。
【００５３】
ジャック用コネクタ５０、プラグ用コネクタ５２の順に更に説明する。
【００５４】
ジャック用コネクタ５０は、絶縁体からなるハウジング６２を有し、ハウジング６２の図７Ａ中Ｚ２方向の下面に複数本の溝部６４が形成されている。ハウジング６２は、更に、Ｘ１−Ｘ２方向の両壁、Ｚ１方向の上壁及びＹ１方向の後壁が金属板６６で被覆され、金属板６６のＸ１−Ｘ２方向両側の下端部には突起６６ａが設けられている。従って、ジャック用コネクタ５０は、ハウジング６２のＺ２方向の下壁が省略されて、低背化されている。
【００５５】
ジャック用コネクタ５０の各コンタクト５４ａ、５４ｂ、５８は同一形状であり、図８Ａ，８Ｂに示すように、略棒状に形成され、中間部に段差が設けられている。各コンタクト５４ａ、５４ｂ、５８の図７及び図８Ａ中Ｙ２側の先端部５４ａ−１、５４ｂ−１、５８−１はその頂部に内向きの突起Ａが形成され、また、先端部５４ａ−１、５４ｂ−１、５８−１と中間部との間には、Ｚ１方向に突設した突起Ｂが形成されている。各コンタクトの後端部５４ａ−２、５４ｂ−２、５８−２は舌片状に形成されている。
【００５６】
各コンタクト５４ａ、５４ｂ、５８は、ハウジング６２の溝部６４の上壁に形成された凹部６８に突起Ｂを嵌合することにより、ハウジング６２に固定されている。従って、ハウジング６２の後壁６２ａを各コンタクト５４ａ、５４ｂ、５８の固定部とする必要がないため、後壁６２ａの厚みは薄く形成されており、その結果、ジャック用コネクタ５０の奥行き寸法Ｗ３が小さくなっている（図９参照）。また、後述するプラグ用コネクタ５２との接続状態において、コンタクト５４ａ、５４ｂ、５８の接続方向（Ｙ１−Ｙ２方向）と直交する方向（Ｚ１側）の突起Ｂと凹部６８とも嵌合によってコンタクト５４ａ、５４ｂ、５８がハウジング６２に固定されているため、プラグ用コネクタ５２をジャック用コネクタ５０に抜き差しする際、コンタクト５４ａ、５４ｂ、５８が抜けることがない。
【００５７】
ハウジング６２の各溝部６４に上記の１対の信号コンタクト５４ａ、５４ｂとグランドコンタクト５８が繰り返し配列される。
【００５８】
ジャック用コネクタ５０が載置される基板７０は、図７Ａに示すように、Ｙ２側端部の中央に突設部７２が形成されている。突設部７２のＹ１側後方に幅広なパッド（パターン）７４が形成されている。パッド７４のＸ１−Ｘ２方向両側に１組のパッド７６が形成され、また、パッド７４のＹ１方向後部には複数のパッド７８が整列して形成されている。
【００５９】
ジャック用コネクタ５０を基板７０に載置し、金属板６６の突起６６ａをパッド７６に接合することにより金属板６６及び金属板６６に保持されたハウジング６２が基板７０に固定される。一方、ジャック用コネクタ５０の各コンタクト５４ａ、５４ｂ、５８の各後端部５４ａ−２、５４ｂ−２、５８−２をパッド７８に接合することにより、各コンタクト５４ａ、５４ｂ、５８は基板７０上に形成される図示しない配線パターンに接続される。信号コンタクト５４ａ、５４ｂに接続される配線の反対側はＹ１方向に設けられた図示しない端子部等に接続され、グランドコンタクト５８に接続される配線の反対側はＹ１方向に設けられた図示しないグランド部に接続される。
【００６０】
プラグ用コネクタ５２は、絶縁体からなるハウジング８０を有し、ハウジング８０は、図７Ｂ中Ｘ１−Ｘ２方向に長尺な凹部８２が形成されている。なお、ハウジング８０の底壁８０ａのＸ１−Ｘ２方向両側は切欠かれている。ハウジング８０は、更に、Ｙ１方向の開口部を除く全体が金属板８４で被覆されている。金属板８４のＸ１−Ｘ２方向両側の下端部には突起８４ａが設けられている。
【００６１】
プラグ用コネクタ５２の各コンタクト５６ａ、５６ｂ、６０は同一形状であり、図８Ｂに示すように、略棒状に形成され、中間部に段差が設けられ、後端部５６ａ−１、５６ｂ−１、６０−１は舌片状に形成されている。
【００６２】
プラグ用コネクタ５２の各コンタクト５６ａ、５６ｂ、６０は、ハウジング８０の後壁８０ｂに形成された孔部８０ｃから先端部５６ａ−２、５６ｂ−２、６０−２をＹ１方向に圧入して突出させることにより、ハウジング８０に固定されている。ハウジング８０の底壁上に上記の１対の信号コンタクト５６ａ、５６ｂとグランドコンタクト６０が交互に配列される。
【００６３】
プラグ用コネクタ５２が載置される基板８６は、Ｙ１側端部の中央に切り欠き部８８が形成されている。切り欠き部８８のＸ１−Ｘ２方向両側に１組のパッド９０が形成され、また、切り欠き部８８のＹ２方向後部には複数のパッド９２が整列して形成されている。
【００６４】
プラグ用コネクタ５２を基板８６に載置し、金属板８４の突起８４ａをパッド９０に接合することにより金属板８４及び金属板８４に保持されたハウジング８０が基板８６に固定される。一方、プラグ用コネクタ５２の各コンタクト５６ａ、５６ｂ、６０の各後端部５６ａ−１、５６ｂ−１、６０−１をパッド９２に接合することにより、各コンタクト５６ａ、５６ｂ、６０は基板８６上に形成される図示しない配線パターンに接続される。信号コンタクト５６ａ、５６ｂに接続される配線の反対側はＹ２方向の図示しない端子部等に接続され、グランドコンタクト６０に接続される配線の反対側はＹ２方向の図示しないグランド部に接続される。
【００６５】
上記のように構成されるジャック用コネクタ５０及びプラグ用コネクタ５２の接続構造について、図８及び図９を参照して説明する。
【００６６】
ジャック用コネクタ５０が設けられた基板７０の突設部７２とプラグ用コネクタ５２が設けられた基板８６の切り欠き部８８を突き合わせるようにして、ジャック用コネクタ５０にプラグ用コネクタ５２が接続される。このとき、プラグ用コネクタ５２の底壁８０ａをジャック用コネクタ５０のパッド７４とコンタクト５４ａ、５４ｂ、５８の間に挟むようにして、コンタクト５６ａ、５６ｂ、６０の上面をコンタクト５４ａ、５４ｂ、５８に摺動させることにより、突起Ａが押されてＺ１方向に撓んだコンタクト５４ａ、５４ｂ、５８の先端部５４ａ−１、５４ｂ−１、５８−１の復元力によってコンタクト５４ａ、５４ｂ、５８のコンタクト５６ａ、５６ｂ、６０が密接される。そして、信号コンタクト５４ａと信号コンタクト５６ａ、信号コンタクト５４ｂと信号コンタクト５６ｂ、グランドコンタクト５８とグランドコンタクト６０がそれぞれ電気的に接続される。一方、プラグ用コネクタ５２の底壁８０ａの下面の設けた金属板８４がジャック用コネクタ５０のパッド７４に当接し、金属板８４とパッド７４が電気的に接続される。
【００６７】
これにより、ジャック用コネクタ５０が取付けられた基板７０とプラグ用コネクタ５２が取付けられた基板８６が、ジャック用コネクタ５０及びプラグ用コネクタ５２を介して水平方向に接続される。
【００６８】
以上説明した第２実施形態に係るプラグ用コネクタ５２及びジャック用コネクタ５０は、基板にコネクタを実装する場合に、ハウジングの長手方向と直角な方向に位置する端子部等と信号コンタクトの間を接続するとき、各対の信号コンタクトのそれぞれと端子部等とを接続する１対の配線の長さを同一にすることができるため、基板の配線設計及び配線形成作業が容易である。また、平衡伝送される各対の信号コンタクトのノイズの発生を防止し、高速信号伝送時においても特性インピーダンスの安定を図ることができる。
【００６９】
また、プラグ用コネクタ５２及びジャック用コネクタ５０は、複数対の信号コンタクトの各対間にグランドコンタクトが配設されているため信号コンタクトの各対間のクロストークを軽減することができる。
【００７０】
また、プラグ用コネクタ５２及びジャック用コネクタ５０は、ハウジングの外周に遮蔽シールド層の役割を果たす金属板が設けられているため、外部からの電磁波をシールドすることができる。また、プラグ用コネクタ５２をジャック用コネクタ５０に抜き差しする際、双方のコンタクトの接触力によってハウジングを膨らまそうとする力が作用するが、このハウジングの膨らみはハウジングを覆う金属板によって抑制される。
【００７１】
なお、プラグ用コネクタ５２の基板８６への取付け及びジャック用コネクタ５０の基板７０への取付けは、それぞれ、金属板の突起及びコンタクトの後端部のみの部分で行われている為、はんだ付け箇所が少なく、はんだ付け作業の能率がよい。また、コンタクトは寸法精度に優れる板抜きによって略棒状に形成されているため、接触面の面寸法精度がよい。
【００７２】
第３実施形態
次に、本発明の第３実施形態によるコネクタを説明する。
【００７３】
図１０Ａ〜１０Ｄは、第３実施形態によるプラグ用コネクタ２１０を示す図である。図１０Ａはコネクタ２１０の斜視図、図１０Ｂはコネクタ２１０の一部切り欠き斜視図、図１０Ｃは図１０Ｂに示すＸＣ線断面図、及び図１０Ｄは図１０Ｂに示すＸＤ線断面図である。
【００７４】
コネクタ２１０は、凹部２１２を持つハウジング２１１を有する。ハウジング２１１は例えば、ポリエステルや液晶ポリマー（ＬＣＰ：Ｌｉｑｕｉｄ  Ｃｒｙｓｔａｌ  Ｐｏｌｙｍｅｒ）系の樹脂などの絶縁物質で形成されている。凹部２１２内には、コネクタ２１０の長手方向に延びるコンタクト支持部２１３を有する。コンタクト支持部２１３は例えばハウジング２１１と一体構成であり、略平板状である。コンタクト支持部２１３は２つの対向する面を有し、それぞれの面上に同一長さの信号コンタクト２１４ａ、２１４ｂ、２１５ａ、２１５ｂが配置されている。１つの信号コンタクト２１４ａと１つの信号コンタクト２１４ｂは対となり、１Ｇｂｉｔ／ｓ以上の信号の平衡伝送に供される。つまり、１対の信号コンタクト２１４ａと２１４ｂは大きさが同じで極性が逆の信号を伝送する。対となる信号コンタクト２１４ａと２１４ｂは、全長にわたり隣接している。言い換えれば、一様に隣接している。更に別の表現で特定すると、対となる信号コンタクト２１４ａと２１４ｂは全長にわたり平行であるとも言える。言い換えれば、同一の距離で隔てられているとも言える。このため、信号コンタクトの全長にわたり良好なカップリングが確立される。この点は、信号コンタクトの一部でカップリングが成立しない前述した従来技術と大きく異なる。
【００７５】
このような信号コンタクト２１４ａと２１４ｂからなる対が複数個、ハウジング２１１の長手方向に離間して一列に配置されている。同様に、１つの信号コンタクト２１５ａと１つの信号コンタクト２１５ｂは対となり、平衡伝送に供される。信号コンタクト２１５ａと２１５ｂとからなる対が複数個、コンタクト支持部２１３の他方の面上に平行に離間して配置されている。換言すれば、信号コンタクト２１５ａ、２１５ｂはハウジング２１１の長手方向に離間して一列に配置されている。このように、コネクタ２１０は、複数の信号コンタクト２１４ａと２１４ｂを有する列と、信号コンタクト２１５ａと２１５ｂを有する列との２列構成である。
【００７６】
なお、各信号コンタクト２１４ａ、２１４ｂ、２１５ａ、２１５ｂは細長（ピン状）で同一長さの単一部材であり、例えば金メッキされた銅合金の平板を打ち抜き、折り曲げ加工することで形成されるものである。
【００７７】
コンタクト支持部２１３とハウジング２１１の底部には複数の角穴２２３が設けられ、各角穴２２３内にグランドコンタクト２１６が配置されている。グランドコンタクト２１６は、複数の信号コンタクト２１４ａと２１４ｂを有する列を複数対の信号コンタクトに区分し、同様に複数の信号コンタクト２１５ａと２１５ｂを有する列を複数対の信号コンタクトに区分けするように配置されている。従って、隣接するグランドコンタクト２１６間には、一方の列にある１対の信号コンタクト２１４ａと２１４ｂと、他方の列にある１対に信号コンタクト２１５ａと２１５ｂとが位置している。
【００７８】
図１０Ｃに示すように、信号コンタクト２１４ａは相手方コネクタのコンタクトに接続するコネクタ側コンタクト部２１４ａ−１と、これと一体に形成された基板側のコンタクト部２１４ａ−２とを有する。コネクタ側コンタクト部２１４ａ−１は、ハウジング２１１に形成された孔部２２１を通り、コンタクト支持部２１３の一方の面に沿って延びている。基板側コンタクト部２１４ａ−２はコネクタ側コンタクト部２１４ａ−１に対し略９０°屈曲しており、実装基板（図示していない）の実装面上に設けられたパッドなどの接続端子に接続可能なように延びている。コンタクト支持部２１３を介してコンタクト２１４ａに対向するコンタクト２１５ａも同様に、相手方コネクタのコンタクトに接続するコネクタ側コンタクト部２１５ａ−１と、これに一体に形成された基板側のコンタクト部２１５ａ−２とを有する。コネクタ側コンタクト部２１５ａ−１は、ハウジング２１１に形成された孔部２２２を通り、コンタクト支持部２１３の他方の面に沿って延びている。基板側コンタクト部２１５ａ−２はコネクタ側コンタクト部２１５ａ−１に対し略９０°屈曲しており、実装基板の実装面上に設けられたパッドなどの接続端子に接続可能なように延びている。そして、基板側コンタクト部２１４ａ−２と２１５ａ−２とは、逆方向に延びている。信号コンタクト２１４ｂも上記信号コンタクト２１４ａと同様に形成され、信号コンタクト２１５ｂも上記信号コンタクト２１５ａと同様に形成されている。つまり、対をなす基板側コンタクト部２１４ａ−２と２１４ｂ−２とは第１の方向（ハウジング２１１の一方の側）に延出し、対をなす基板側コンタクト部２１５ａ−２と２１５ｂ−２とは上記第１の方向とは反対の第２の方向（ハウジング２１１の対向する側）に延出している。
【００７９】
図１０Ｄに示すように、グランドコンタクト２１６は２つの基板側コンタクト部２１６−１、２１６−２とこれらに一体に形成された板状部２１６−３とを有する。グランドコンタクト２１６は、２列の信号コンタクトに共通に設けられている。板状部２１６−３は、ハウジング２１１及びコンタクト支持部２１３に形成された角穴２２３を通り、垂直に延びている。板状部２１６−３の頂部はコンタクト支持部２１３の上面から突出している。つまり、グランドコンタクト２１６は、信号コンタクト２１４ａ、２１４ｂ、２１５ａ、２１５ｂよりも背が高く、また同一であってもよい。また、各列で隣接する信号コンタクト対を良好に遮蔽するため、板状部２１６−３の幅は、信号コンタクト２１４ａ（２１４ｂ）と２１５ａ（２１５ｂ）との間の距離よりも大である。グランドコンタクト２１６の基板側コンタクト部２１６−１は、実装面上に設けられたパッドなどの接続端子に接続可能なように延びている。基板側コンタクト部２１６−１は、信号コンタクト２１４ａの基板側コンタクト部２１４ａ−２と同じレベル（段差がなく一様である）であって同じ方向に延びている。グランドコンタクト２１６の他方の基板側コンタクト部２１６−２も同様に構成されている。そして、基板側コンタクト部２１６−１と２１６−２とは、逆方向に延びている。
【００８０】
このように、配線基板側には、基板側グランドコンタクト部２１６−１を隔てて、基板側コンタクト部２１４ａ−２と２１４ｂ−２の対が複数個配列された列と、基板側グランドコンタクト部２１６−２を隔てて、基板側コンタクト部２１５ａ−２と２１５ｂ−２の対が複数個配列された列とが形成されている。そして、これら２列の基板コンタクト部は同じレベルで反対方向に延びている。基板側コンタクト部２１４ａ−２、２１４ｂ−２及びグランドコンタクト２１６−１は例えば、同じピッチで整列されている。
【００８１】
ハウジング２１１の左右側部には突起部２２４が形成され、この突起部に形成された孔部内に円筒状の固定部材２２５が挿入される。固定部材２２５は、配線基板に形成されたスルーホール内に挿入され、はんだで固定される。これにより、コネクタ２１０を配線基板上に実装・固定することができる。
【００８２】
１対の基板側コンタクト部２１４ａ−２と２１４ｂ−２とは一様に隣接しかつ同一長さなので、配線基板上において信号を同一位相で平衡伝送することができる。同様に、１対の基板側コンタクト部２１５ａ−２と２１５ｂ−２とは平行かつ同一長さなので、配線基板上において信号を同一位相で平衡伝送することができる。この結果、従来のように位相差に起因したノイズの発生を防止することができ、特性インピーダンスを安定に保つことができる。また、基板側コンタクト部２１４ａ−２と２１４ｂ−２とは隣接し、同様に基板側コンタクト部２１５ａ−２と２１５ｂ−２とは隣接しているため、配線基板上の対となる配線の長さを容易に同一にすることができ、配線基板の配線設計及び配線形成作業を容易に行うことができる。更に、２列配列であっても、各信号コンタクト対は全長にわたり隣接しているので、良好な平衡伝送を高密度で実現することができる。
【００８３】
コネクタ２１０の長手方向に隣り合う信号コンタクト対はグランドコンタクト２１６で電気的に遮蔽されており、同一列内で隣接する信号コンタクト対間で相互に干渉することはない。他方、１対の信号コンタクト２１４ａ、２１４ｂと１対の信号コンタクト２１５ａ、２１５ｂとは、絶縁物質で形成されたコンタクト支持部２１３を介して対向しており、前述した第１実施形態の列間用グランドコンタクト３６のような遮蔽部材が設けられていない。従って、第１実施形態に比べると、コンタクト支持部２１３を介して対向する信号コンタクト間で位相差が生じ、多少のノイズが発生する可能性がある。しかしながら、対となる信号コンタクト２１４ａと２１４ｂとの距離及び対となる信号コンタクト２１５ａと２１５ｂとの距離が、信号コンタクト２１４ａと２１５ｂとの距離及び信号コンタクト２１４ｂと２１５ａとの対角距離よりも近ければ、実用上問題はない場合が多い。他方、前述した第１実施形態の列間用グランドコンタクト３６のような遮蔽部材が設けられていないため、部品点数を削減してコネクタのコストダウンを図ることができるという利点がある。
【００８４】
次に、図１１Ａ〜１１Ｄを参照して本発明の第３実施形態によるジャック用コネクタ２３０を説明する。図１１Ａはコネクタ２３０の斜視図、図１１Ｂはコネクタ２３０の一部切り欠き斜視図、図１１Ｃは図１１Ｂに示すＸＩＣ線断面図、及び図１１Ｄは図１１Ｂに示すＸＩＤ線断面図である。ジャック用コネクタ２３０は、上記プラグ用コネクタ２１０と対をなすものである。
【００８５】
コネクタ２３０は、凸部２３２を持つハウジング２３１を有する。ハウジング２３１は例えば、ポリエステルや液晶ポリマー系の樹脂などの絶縁物質で形成されている。凸部２３２はコネクタ２３０の長手方向に延びており、内部に凹部２３３を有する。この凹部２３３内にコネクタ２１０のコンタクト支持部２１３が嵌り込む。凹部２３３内には、信号コンタクト及びグランドコンタクトが２列に配列されている。一方の列は同一長さの信号コンタクト２３４ａと２３４ｂとを有し、他方の列は信号コンタクト２３４ａ、２３４ｂと同一長さの信号コンタクト２３５ａと２３５ｂとを有する。１つの信号コンタクト２３４ａと１つの信号コンタクト２３４ｂとは対となり、１Ｇｂｉｔ／ｓ以上の信号の平衡伝送に供される。
【００８６】
対となる信号コンタクト２３４ａと２３４ｂは、全長にわたり隣接している。言い換えれば、一様に隣接しているとも言える。また、対となる信号コンタクト２３４ａと２３４ｂは全長にわたり平行、又は同一の距離で隔てられているとも言える。これにより、信号コンタクト２３４ａと２３４ｂの全長にわたり良好なカップリングが形成できる。
【００８７】
このような信号コンタクト２３４ａ、２３４ｂの対２３５ａ、２３５ｂが複数個、平行に離間して配置されており、１つの列を構成している。同様に、１つの信号コンタクト２３５ａと１つの信号コンタクト２３５ｂとは対となり、平衡伝送に供される。このような信号コンタクトの対が複数個、平行に離間して配置されており、もう１つの列を構成している。このように、コネクタ２３０は、２列に配置された複数の信号コンタクト２３４ａ、２３４ｂ、２３５ａ、２３５ｂを有する。
【００８８】
なお、各信号コンタクト２３４ａ、２３４ｂ、２３５ａ、２３５ｂは細長（ピン状）で同じ長さの単一部材であり、例えば金メッキされた銅合金の平板を打ち抜き、折り曲げ加工することで形成されるものである。
【００８９】
ハウジング２３１の底部には複数の角穴２４５が設けられ、各角穴２４５内にグランドコンタクト２３６が配置されている。グランドコンタクト２３６は、複数の信号コンタクト２３４ａと２３４ｂを有する列を複数対の信号コンタクトに区分けし、同様に複数の信号コンタクト２３５ａと２３５ｂを有する列を複数対の信号コンタクトを区分けするように配置されている。従って、隣接するグランドコンタクト２３６間には、一方の列にある１対の信号コンタクト２３４ａと２３４ｂと、他方の列にある１対に信号コンタクト２３５ａと２３５ｂとが位置している。
【００９０】
図１１Ｃに示すように、信号コンタクト２３４ａはプラグ用コネクタ２１０のコネクタ側コンタクト部２１４ａ−１に接続するコネクタ側コンタクト部２３４ａ−１と、基板側のコンタクト部２３４ａ−２とを有する単一の部材である。コネクタ側コンタクト部２３４ａ−１は、ハウジング２３１に形成された孔部２４１を通り、凹部２３３内に延びている。コネクタ２３０を配線基板に実装した状態では、コネクタ側コンタクト部２３４ａ−１は配線基板に対し略垂直に延びる。基板側コンタクト部２３４ａ−２はコネクタ側コンタクト部２３４ａ−１に対し略９０°外側に屈曲しており、実装基板（図示していない）の実装面上に設けられたパッドなどの接続端子に接続可能なように延びている。空間を介してコンタクト２３４ａに対向するコンタクト２３５ａも同様に、プラグ用コネクタ２１０のコネクタ側コンタクト２１５ａ−１に接続するコネクタ側コンタクト部２３５ａ−１と、これに一体に形成された基板側のコンタクト部２３５ａ−２とを有する。コネクタ側コンタクト部２３５ａ−１は、ハウジング２３１に形成された孔部２４２を通り、凹部２３３内に延びている。基板側コンタクト部２３５ａ−２はコネクタ側コンタクト部２３５ａ−１に対し略９０°外側に屈曲しており、実装基板の実装面上に設けられたパッドなどの接続端子に接続可能なように延びている。そして、基板側コンタクト部２３４ａ−２と２３５ａ−２とは、逆方向に延びている。信号コンタクト２３４ｂも上記信号コンタクト２３４ａと同様に形成され、信号コンタクト２３５ｂも上記信号コンタクト２３５ａと同様に形成されている。コネクタ側コンタクト部２３４ａ−１、２３４ｂ−１、２３５ａ−１、２３５ｂ−１はそれぞれ、前述の突起Ａと同様の内向きの突起を有するとともに、ばね性を持たせるために内側に傾いている。ジャック用コネクタ２３０にプラグ用コネクタ２１０を取り付けると、内向きの突起はプラグ用コネクタ２１０の対応するコネクタ側コンタクト部２１４ａ−１、２１４ｂ−１、２１５ａ−１、２１５ｂ−１はコネクタ側コンタクト部２３４ａ−１、２３４ｂ−１、２３５ａ−１、２３５ｂ−１に係合して、これらのコネクタ側コンタクト部を外側に押し広げる。コネクタ側コンタクト２３４ａ−１、２３４ｂ−１、２３５ａ―１、２３５ｂ−１のばねの復元力により、確実な電気的接続が形成できる。
【００９１】
図１１Ｄに示すように、グランドコンタクト２３６は２つの基板側コンタクト部２３６−１及び２３６−２と、２つのコネクタ側コンタクト部２３６−３及び２３６−４と、ベース部２３６−５とを有する。これらのコンタクト部２３６−１〜２３６−４とベース部２３６−５は、例えば金メッキされた銅合金の平板を打ち抜き、折り曲げることで形成される単一の部材である。コネクタ側コンタクト部２３６−３と２３６−４は、ハウジング２３１に形成された孔部２４１を通り、凹部２３３内に延びている。コネクタ側コンタクト部２３６−３と２３６−４は、空間を介して対向している。コネクタ側コンタクト部２３６−３と２３６−４はそれぞれ内向きの突起を有するとともに、ばね性を持たせるために内側に傾いている。つまり、コネクタ側コンタクト部２３６−３、２３６−４は、図１１Ｃに示すコネクタ側コンタクト部２３４ａ−１、２３５ａ−１と同様である。ジャック用コネクタ２３０にプラグ用コネクタ２１０を取り付けると、コネクタ側コンタクト部２３６−３と２３６−４の突起はプラグ用コネクタ２１０の対応するグランドコンタクト２１６に係合してこれらのコネクタ側コンタクト部を外側に押し広げる。これにより、復元力を利用した確実な電気的接続が形成できる。実装側コンタクト部２３６−１と２３６−２は、ベース２３６−５に対し略９０°外側に屈曲しており、かつ逆方向に延びている。
【００９２】
このように、配線基板側には、基板側グランドコンタクト部２３６−１を隔てて、基板側コンタクト部２３４ａ−２と２３４ｂ−２の対が複数個配列された列と、基板側グランドコンタクト部２３６−２を隔てて、基板側コンタクト部２３５ａ−２と２３５ｂ−２の対が複数個配列された列とが形成される。そして、これら２列の基板コンタクト部は同一レベルで反対方向に延出している。基板コンタクト部２３４ａ−２、２３４ｂ−２と基板側グランドコンタクト部２３６−１とは例えば、同一ピッチで整列される。基板コンタクト部２３５ａ−２、２３５ｂ−２と基板側グランドコンタクト部２３６−２も同様である。
【００９３】
１対の基板側コンタクト部２３４ａ−２と２３４ｂ−２とは平行かつ同一長さなので、配線基板上において信号を同一位相で平衡伝送することができる。同様に、１対の基板側コンタクト部２３５ａ−２と２３５ｂ−２とは平行かつ同一長さなので、配線基板上において信号を同一位相で平衡伝送することができる。この結果、従来のように位相差に起因したノイズの発生を防止することができ、特性インピーダンスを安定に保つことができる。基板側コンタクト部２３４ａ−２と２３４ｂ−２、２３５ａ−２と２３５ｂ−２は一様に隣接しているので、配線基板上の対となる配線の長さを容易に同一にすることができ、配線基板の配線設計及び配線形成作業を容易に行うことができる。更に、２列配列であっても、各信号コンタクト対は全長にわたり隣接しているので、良好な平衡伝送を高密度で実現することができる。
【００９４】
なお、ジャック用コネクタ２３０とプラグ用コネクタ２１０とを接続した状態では、プラグ用コネクタ２１０のグランドコンタクト２１６が、列方向に隣接する信号コンタクト対の間に挿入されることになり、ジャック用コネクタ２３０の列方向に隣接する信号コンタクト対は良好に遮蔽される。
第４実施形態
次に、本発明の第４実施形態によるコネクタを説明する。
【００９５】
図１２Ａ〜１２Ｄは、第４実施形態によるジャック用コネクタ２５０を示す図である。図１２Ａコネクタ２５０の斜視図、図１２Ｂはコネクタ２５０の一部切り欠き斜視図、図１２Ｃは図１２Ｂに示すＸＩＩＣ線断面図、及び図１２Ｄは図１２Ｂに示すＸＩＩＤ線断面図である。ジャック用コネクタ２５０は、前述のプグ用コネクタ２１０と対をなすものである。
【００９６】
コネクタ２５０は、凸部２５２を持つハウジング２５１を有する。ハウジング２５１は例えば、ポリエステルや液晶ポリマー系の樹脂などの絶縁物質で形成されている。凸部２５２はコネクタ２５０の長手方向に延びており、内部に凹部２５３を有する。この凹部２５３内にコネクタ２１０のコンタクト支持部２１３が嵌り込む。凹部２５３内には、信号コンタクト及びグランドコンタクトが２列に配列されている。一方の列は信号コンタクト２６４ａと２６４ｂとを有し、他方の列は信号コンタクト２６５ａと２６５ｂとを有する。１つの信号コンタクト２６４ａと１つの信号コンタクト２６４ｂとは対となり、１Ｇｂｉｔ／ｓ以上の信号の平衡伝送に供される。このような信号コンタクトの対２６４ａ、２６４ｂが複数個、平行に離間して配置されており、１つの列を構成している。同様に、１つの信号コンタクト２６５ａと１つの信号コンタクト２６５ｂとは対となり、平衡伝送に供される。
【００９７】
対となる信号コンタクト２６４ａと２６４ｂは、全長にわたり隣接している（一様に隣接しているとも言える）。また、対となる信号コンタクト２６４ａと２６４ｂは全長にわたり平行であるとも言える（同一の距離で隔てられているとも言える）。このような配置は、前述した従来技術と大きくことなる。
【００９８】
このような信号コンタクトの対２６５ａ、２６５ｂが複数個、平行に離間して配置されており、もう１つの列を構成している。このように、コネクタ２５０は、２列に配置された複数の信号コンタクト２６４ａ、２６４ｂ、２６５ａ、２６５ｂを有する。
【００９９】
なお、各信号コンタクト２６４ａと２６４ｂは細長（ピン状）で同じ長さの単一部材であり、例えば金メッキされた銅合金の平板を打ち抜き、折り曲げ加工することで形成されるものである。信号コンタクト２６５ａと２６５ｂも同様である。ただし、信号コンタクト２６５ａと２６５ｂの長さは、信号コンタクト２６４ａと２６４ｂと同一か、又は中間部の屈曲の度合いによっては異なる場合もある。
【０１００】
ハウジング２５１内部には複数の角穴が設けられ、各角穴内にグランドコンタクト２６６が配置されている。グランドコンタクト２６６は、複数の信号コンタクト２６４ａと２６４ｂを有する列を複数対の信号コンタクトに区分けし、同様に複数の信号コンタクト２６５ａと２６５ｂを有する列を複数対の信号コンタクトを区分けするように配置されている。従って、隣接するグランドコンタクト２６６間には、一方の列にある１対の信号コンタクト２６４ａと２６４ｂと、他方の列にある１対に信号コンタクト２６５ａと２６５ｂとが位置している。
【０１０１】
図１２Ｃに示すように、信号コンタクト２６４ａはプラグ用コネクタ２１０の信号コンタクト部２１４ａ−１に接続するコネクタ側コンタクト部２６４ａ−１と、基板側のコンタクト部２６４ａ−２と、これらの間の中間部２６４ａ−３とを有する単一の部材である。コネクタ側コンタクト部２６４ａ−１は、ハウジング２５１に形成された孔部を通り、凹部２５３内に延びている。コネクタ側コンタクト部２６４ａ−１は、コネクタ２５０を配線基板に実装した状態では、この配線基板と略平行に延びる。基板側コンタクト部２６４ａ−２は、実装基板（図示していない）の実装面上に設けられたパッドなどの接続端子に接続可能なように延びている。空間を介してコンタクト２６４ａに対向するコンタクト２６５ａも同様に、プラグ用コネクタ２１０の信号コンタクト２１５ａ−１に接続するコネクタ側コンタクト部２６５ａ−１と、基板側のコンタクト部２６５ａ−２と、これらを接続する中間部２６５ａ−３とを有する単一の部材である。コネクタ側コンタクト部２６５ａ−１は、ハウジング２５１に形成された孔部を通り、凹部２５３内に延びている。基板側コンタクト部２６５ａ−２は、実装基板の実装面上に設けられたパッドなどの接続端子に接続可能なように延びている。そして、基板側コンタクト部２６４ａ−２と２６５ａ−２とは、逆方向に延びている。信号コンタクト２６４ｂも上記信号コンタクト２６４ａと同様に形成され、信号コンタクト２６５ｂも上記信号コンタクト２６５ａと同様に形成されている。
【０１０２】
この結果、コネクタ側コンタクト部２６４ａ−１、２６４ｂ−１、２６５ａ−１、２６５ｂ−１と、基板側コンタクト部２６４ａ−２、２６４ｂ−２とは同一方向に延出し、基板側コンタクト部２６５ａ−２と２６５ｂ−２は逆方向に延出している。
【０１０３】
コネクタ側コンタクト部２６４ａ−１、２６４ｂ−１、２６５ａ−１、２６５ｂ−１はそれぞれ、内向きの突起を有するとともに、ばね性を持たせるために内側に傾いている。ジャック用コネクタ２５０にプラグ用コネクタ２１０を取り付けると、下向きの突起はプラグ用コネクタ２１０の対応するコネクタ側コンタクト部２１４ａ−１、２１４ｂ−１、２１５ａ−１、２１５ｂ−１はコネクタ側コンタクト部２６４ａ−１、２６４ｂ−１、２６５ａ−１、２６５ｂ−１に係合して、これらのコネクタ側コンタクト部を外側に押し広げる。ばねの復元力を利用して、確実な電気的接続が形成できる。
【０１０４】
図１２Ｄに示すように、グランドコンタクト２６６は２つの基板側コンタクト部２６６−１及び２６６−２と、２つのコネクタ側コンタクト部２６６−３及び２６６−４と、ベース部２６６−５とを有する。これらのコンタクト部２６６−１〜２６６−４とベース部２６６−５は、例えば金メッキされた銅合金の平板を打ち抜き、折り曲げることで形成される単一の部材である。コネクタ側コンタクト部２６６−３と２６６−４は、ハウジング２５１に形成された孔部を通り、凹部２５３内に延びている。コネクタ側コンタクト部２６６−３と２６６−４は、空間を介して対向している。コネクタ側コンタクト部２６６−３と２６６−４はそれぞれ、内向きの突起を有するとともに、ばね性を持たせるために内側に傾いている。つまり、コネクタ側コンタクト部２６６−３、２６６−４は、図１２Ｃに示すコネクタ側コンタクト部２６４ａ−１、２６５ａ−１と同様である。ジャック用コネクタ２５０にプラグ用コネクタ２１０を取り付けると、コネクタ側コンタクト部２６６−３と２６６−４の突起はプラグ用コネクタ２１０の対応するグランドコンタクト２１６に係合してこれらのコネクタ側コンタクト部を外側に押し広げる。これにより、確実な電気的接続が形成できる。実装側コンタクト部２６６−１と２６６−２は、ベース２６６−５に対し略９０°外側に屈曲しており、かつ逆方向に延びている。このように、配線基板側には、基板側グランドコンタクト部２６６−１を隔てて、基板側コンタクト部２６４ａ−２と２６４ｂ−２の対が複数個配列された列と、基板側グランドコンタクト部２６６−２を隔てて、基板側コンタクト部２６５ａ−２と２６５ｂ−２の対が複数個配列された列とが形成され、これら２列のコンタクト部は同一面（実装面）上を反対方向に延びている配置が形成されている。
【０１０５】
１対の基板側コンタクト部２６４ａ−２と２６４ｂ−２とは平行かつ同一長さなので、信号を同一位相で平衡伝送することができる。同様に、１対の基板側コンタクト部２６５ａ−２と２６５ｂ−２とは平行かつ同一長さなので、信号を同一位相で平衡伝送することができる。この結果、従来のように位相差に起因したノイズの発生を防止することができ、特性インピーダンスを安定に保つことができる。基板側コンタクト部２６４ａ−２と２６４ｂ−２、２６５ａ−２と２６５ｂ−２は一様に隣接しているので、配線基板上の対となる配線の長さを容易に同一にすることができ、配線基板の配線設計及び配線形成作業を容易に行うことができる。
【０１０６】
なお、ジャック用コネクタ２５０とプラグ用コネクタ２１０とを接続した状態では、プラグ用コネクタ２１０のグランドコンタクト２１６が、列方向に隣接する信号コンタクト対の間に挿入されることになり、ジャック用コネクタ２５０の列方向に隣接する信号コンタクト対は良好に遮蔽される。
第５実施形態
次に、本発明の第５実施形態によるコネクタを説明する。
【０１０７】
図１３Ａ〜１３Ｄは、第５実施形態によるプラグ用コネクタ２７０を示す図である。図１３Ａはコネクタ２７０の斜視図、図１３Ｂはコネクタ２７０の一部切り欠き斜視図、図１３Ｃは図１３Ｂに示すＸＩＩＩＣ線断面図、及び図１３Ｄは図１３Ｂに示すＸＩＩＩＤ線断面図である。前述した各実施形態によるコネクタは、配線基板の一実装面上に実装されるタイプであるが、第５実施形態によるコネクタ２７０は、配線基板を挟み込むように実装されるもので、後述する基板側コンタクト部は配線基板の対向する２面上に設けられた接続端子に接続可能である。
【０１０８】
コネクタ２７０は、凹部２７２を持つハウジング２７１を有する。ハウジング２７１は例えば、ポリエステルや液晶ポリマー系の樹脂などの絶縁物質で形成されている。凹部２７２内には、コネクタ２７０の長手方向に延びるコンタクト支持部２７３を有する。コンタクト支持部２７３は例えばハウジング２７１と一体構成であり、略平板状である。コンタクト支持部２７３は２つの対向する面を有し、それぞれの面上に信号コンタクト２７４ａ、２７４ｂ、２７５ａ、２７５ｂが配置されている。１つの信号コンタクト２７４ａと１つの信号コンタクト２７４ｂは対となり、１Ｇｂｉｔ／ｓ以上の信号の平衡伝送に供される。つまり、１対の信号コンタクト２７４ａと２７４ｂは大きさが同じで極性が逆の信号を伝送する。
【０１０９】
対となる信号コンタクト２７４ａと２７４ｂは、全長にわたり隣接している。言い換えれば、一様に隣接しているとも言える。また、対となる信号コンタクト２７４ａと２７４ｂは全長にわたり平行、つまり同一の距離で隔てられているとも言える。
【０１１０】
このような信号コンタクト２７４ａと２７４ｂからなる対が複数個、コンタクト支持部２７３の一方の面側に、平行に離間して配置されている。換言すれば、信号コンタクト２７４ａ、２７４ｂはハウジング２７１の長手方向に離間して一列に配置されている。同様に、１つの信号コンタクト２７５ａと１つの信号コンタクト２７５ｂは対となり、平衡伝送に供される。信号コンタクト２７５ａと２７５ｂとからなる対が複数個、コンタクト支持部２７３の他方の面側に平行に離間して配置されている。換言すれば、信号コンタクト２７５ａ、２７５ｂはハウジング２７１の長手方向に離間して一列に配置されている。このように、コネクタ２７０は、複数の信号コンタクト２７４ａと２７４ｂを有する列と、信号コンタクト２７５ａと２７５ｂを有する列との２列構成である。
【０１１１】
なお、各信号コンタクト２７４ａ、２７４ｂ、２７５ａ、２７５ｂは細長で同一長さの単一部材であり、例えば金メッキされた銅合金の平板を打ち抜き、折り曲げ加工することで形成されるものである。
【０１１２】
コンタクト支持部２７３には複数の角穴が設けられ、各角穴内にグランドコンタクト２７６が配置されている。グランドコンタクト２７６は、複数の信号コンタクト２７４ａと２７４ｂを有する列を複数対の信号コンタクトに区分し、同様に複数の信号コンタクト２７５ａと２７５ｂを有する列を複数対の信号コンタクトに区分けするように配置されている。従って、隣接するグランドコンタクト２７６間には、一方の列にある１対の信号コンタクト２７４ａと２７４ｂと、他方の列にある１対に信号コンタクト２７５ａと２７５ｂとが位置している。
【０１１３】
図１３Ｃに示すように、信号コンタクト２７４ａはジャック用コネクタ２３０や２５０に接続するコネクタ側コンタクト部２７４ａ−１と、これと一体に形成された基板側のコンタクト部２７４ａ−２とを有する。コネクタ側コンタクト部２７４ａ−１、２７５ａ−１は、ハウジング２７１に形成された孔部を通り、コンタクト支持部２７３の対向する面に沿って延びている。基板側コンタクト部２７４ａ−２、２７５ａ−２はそれぞれコネクタ側コンタクト部２７４ａ−１、２７５ａ−１に連続して一直線状であって、逆方向に延びている。また、基板側コンタクト部２７４ａ−２、２７５ａ−２は空間を介して対向しており、若干内側に屈曲している。基板側コンタクト部２７４ａ−２と２７５ａ−２の間隔は、コネクタ側コンタクト部２７４ａ−１と２７５ａ−１との間隔よりも若干狭い。基板側コンタクト部２７４ａ−２と２７５ａ−２の間に、配線基板が挿入される。基板側コンタクト部２７４ａ−２、２７５ａ−２の内側が対応するコネクタのコンタクト部に係合する。配線基板の厚みは基板側コンタクト部２７４ａ−２と２７５ａ−２が作る空間よりも大きいので、基板側コンタクト部２７４ａ−２と２７５ａ−２とは外側に押し広げられる。そして、これらの復元力により、配線基板の対向する２面上に設けられた接続電極との確実な電気的接触が形成される。信号コンタクト２７４ｂと２７５ｂも同様に形成されている。
【０１１４】
図１３Ｄに示すように、グランドコンタクト２７６は２つの基板側コンタクト部２７６−１、２７６−２とこれらに一体に形成された板状部２７６−３とを有する。グランドコンタクト２７６は、２列構成の信号コンタクトに共通に設けられている。板状部２７６−３は、ハウジング２７１及びコンタクト支持部２７３に形成された孔部を通り、垂直に延びている。板状部２７６−３の頂部はコンタクト支持部２７３の上面から突出している。板状部２７６−３の幅は、信号コンタクト２７４ａ（２７４ｂ）と２７５ａ（２７５ｂ）との間の距離よりも大である。グランドコンタクト２７６の基板側コンタクト部２７６−１と２７６−２は同一方向に延びており、若干内側に屈曲している。基板側コンタクト部２７６−１と２７６−２は空間を介して対向しており、その間隔は基板側コンタクト部２７４ａ−２と２７５ａ−２との間隔に等しい。
【０１１５】
このように、配線基板側には、基板側グランドコンタクト部２７６−１を隔てて、基板側コンタクト部２７４ａ−２と２７４ｂ−２の対が複数個配列された列と、基板側グランドコンタクト部２７６−２を隔てて、基板側コンタクト部２７５ａ−２と２７５ｂ−２の対が複数個配列された列とが形成され、これら２列のコンタクト部は異なる面（対向する２つの実装面）上を同じ方向（ハウジング２７１の底部から延出する方向）に延びている配置が形成されている。
【０１１６】
１対の基板側コンタクト部２７４ａ−２と２７４ｂ−２とは平行かつ同一長さなので、配線基板上において信号を同一位相で平衡伝送することができる。同様に、１対の基板側コンタクト部２７５ａ−２と２７５ｂ−２とは平行かつ同一長さなので、配線基板上において信号を同一位相で平衡伝送することができる。この結果、従来のように位相差に起因したノイズの発生を防止することができ、特性インピーダンスを安定に保つことができる。また、配線基板上の対となる配線の長さを容易に同一にすることができ、配線基板の配線設計及び配線形成作業を容易に行うことができる。
変形例
次に、第３から第５実施形態の変形例を説明する。これらの変形例は、第３から第５の実施形態の高速信号を平衡伝送するための構成と、低速信号を伝送するための構成とを組み合わせたものである。
【０１１７】
図１４Ａと１４Ｂは、第３実施形態のプラグ用コネクタ２１０の変形例２１０Ａを示す図である。図中、図１０Ａ〜１０Ｄと同一の構成要素には同一の参照番号を付してある。図１４Ａ、１４Ｂの参照番号２９０で示す部分は、信号コンタクトのみが配置された部分である。以下、この部分２９０を低速信号部という。低速信号部２９０には、信号コンタクトを対に（２つずつ）区分けするグランドコンタクト２１６が設けられておらず、信号コンタクトが連続して離間配置された構成である。低速信号部２９０は、高速信号を平衡伝送する信号コンタクト２１４ａと２１４ｂを有する列に連続する列と、信号コンタクト２１５ａと２１５ｂを有する列に連続する列の２列構成である。低速信号部２９０の各信号コンタクトは、信号コンタクト２１４ａ等と同一構成である。
【０１１８】
このように、コネクタ２１０Ａは高速信号の平衡伝送と低速信号の非平衡伝送の両方を実現する複合型のコネクタである。なお、低速信号部２９０の位置は図示するものに限定されず、図の左側や中央部分にあってもよい。また、複数の低速信号部２９０が高速信号部に介在するような配置であってもよい。
【０１１９】
図１５Ａと１５Ｂは、第３実施形態のジャック用コネクタ２３０の変形例２３０Ａを示す図である。図中、図１１Ａ〜１１Ｄと同一の構成要素には同一の参照番号を付してある。図１５Ａと１５Ｂの参照番号２９２で示す部分は、信号コンタクトのみが配置された部分である。以下、この部分２９２を低速信号部という。低速信号部２９２には、信号コンタクトを対に（２つずつ）区分けするグランドコンタクトが設けられておらず、信号コンタクトが連続して離間配置された構成である。低速信号部２９２は、高速信号を平衡伝送する信号コンタクト２３４ａと２３４ｂを有する列に連続する列と、信号コンタクト２３５ａと２３５ｂを有する列に連続する列の２列構成である。低速信号部２９２の各信号コンタクトは、信号コンタクト２３４ａ等と同一構成である。
【０１２０】
このように、コネクタ２３０Ａは高速信号と低速信号の両方を良好に伝送できる複合型のコネクタである。なお、低速信号部２９２の位置は図示するものに限定されず、図の右側や中央部分にあってもよい。また、複数の低速信号部２９２が高速信号部に介在するような配置であってもよい。
【０１２１】
図１６Ａと１６Ｂは、第４実施形態のジャック用コネクタ２５０の変形例２５０Ａを示す図である。図中、図１２Ａ〜１２Ｄと同一の構成要素には同一の参照番号を付してある。図１６Ａと１６Ｂの参照番号２９４で示す部分は、信号コンタクトのみが配置された部分である。以下、この部分２９４を低速信号部という。低速信号部２９４には、信号コンタクトを対に（２つずつ）区分けするグランドコンタクトが設けられておらず、信号コンタクトが連続して離間配置された構成である。低速信号部２９４は、高速信号を平衡伝送する信号コンタクト２６４ａと２６４ｂを有する列に連続する列と、信号コンタクト２６５ａと２６５ｂを有する列に連続する列の２列構成である。低速信号部２９４の各信号コンタクトは、信号コンタクト２６４ａ等と同一構成である。
【０１２２】
このように、コネクタ２５０Ａは高速信号と低速信号の両方を良好に伝送できる複合型のコネクタである。なお、低速信号部２９４の位置は図示するものに限定されず、図の右側や中央部分にあってもよい。また、複数の低速信号部２９４が高速信号部に介在するような配置であってもよい。
【０１２３】
図１７Ａと１７Ｂは、第５実施形態のジャック用コネクタ２７０の変形例２７０Ａを示す図である。図中、図１３Ａ〜１３Ｄと同一の構成要素には同一の参照番号を付してある。図１７Ａと１７Ｂの参照番号２９６で示す部分は、信号コンタクトのみが配置された部分である。以下、この部分２９６を低速信号部という。低速信号部２９６には、信号コンタクトを対に（２つずつ）区分けするグランドコンタクトが設けられておらず、信号コンタクトが連続して離間配置された構成である。低速信号部２９６は、高速信号を平衡伝送する信号コンタクト２７４ａと２７４ｂを有する列に連続する列と、信号コンタクト２７５ａと２７５ｂを有する列に連続する列の２列構成である。低速信号部２９６の各信号コンタクトは、信号コンタクト２７４ａ等と同一構成である。
【０１２４】
このように、コネクタ２７０Ａは高速信号と低速信号の両方を良好に伝送できる複合型のコネクタである。なお、低速信号部２９６の位置は図示するものに限定されず、図の右側や中央部分にあってもよい。また、複数の低速信号部２９６が高速信号部に介在するような配置であってもよい。
【０１２５】
以上、本発明の実施の形態及び変形例を説明した。上記第３〜第５実施形態の変形例は上記第１及び第２実施形態にもて起用して複合型コネクタを形成することもできる。また、第１及び第２実施形態で用いる遮蔽金属板を第３〜第５実施形態やこれらの変形例に適用することができる。更に、第３〜第５実施形態及びこれらの変形例を説明する際には、第１及び第２実施形態を説明する際に図示した基板を図示していないが、第３〜第５実施形態及びこれらの変形例によるコネクタを基板に実装して配線することで、電子装置を構成することができる。
【図面の簡単な説明】
【図１】  図１Ａ及び図１Ｂはそれぞれ、従来のコネクタ装置を構成するジャック用コネクタ及びプラグ用コネクタの斜視図である。
【図２】  図２Ａ及び２Ｂはそれぞれ、本発明の第1実施形態によるジャック用コネクタ及びプラグ用コネクタの斜視図である。
【図３】  図３は、図２Ａのジャック用コネクタのＩＩＩ−ＩＩＩ線上断面図である。
【図４】  図４は、図２Ｂのプラグ用コネクタの列内用グランドコンタクト及び列間用グランドコンタクトの斜視図である。
【図５】  図５は、図２Ｂのプラグ用コネクタのＶ−Ｖ線上断面図である。
【図６】  図６Ａ及び６Ｂは図２Ａ及び２Ｂのジャック用コネクタ及びプラグ用コネクタの接続構造を説明するためのものであって、図６Ａは信号コンタクトを示し、図６Ｂはグランドコンタクトを示す。
【図７】  図７Ａ及び７Ｂはそれぞれ、本発明の第２実施形態によるプラグ用コネクタ及びプラグ用コネクタの斜視図である。
【図８】  図８Ａ及び８Ｂは、図７Ａ及び７Ｂのジャック用コネクタ及びプラグ用コネクタの接続構造を説明するためのものであり、接続直前の状態を示す図７中ＩＸ−ＩＸ線上断面図である。
【図９】  図９は、図７Ａ及び７Ｂのジャック用コネクタ及びプラグ用コネクタの接続構造を説明するためのものであり、接続状態を示す図７中ＩＸ−ＩＸ線上断面図である。
【図１０】  図１０Ａ、１０Ｂ、１０Ｃ及び１０Ｄはそれぞれ、本発明の第３実施形態によるプラグ用コネクタを示す図であって、図１０Ａはコネクタの斜視図、図１０Ｂはコネクタの一部切り欠き斜視図、図１０Ｃは図１０Ｂに示すＸＣ線断面図、及び図１０Ｄは図１０Ｂに示すＸＤ線断面図である。
【図１１】  図１１Ａ、１１Ｂ、１１Ｃ及び１１Ｄはそれぞれ、本発明の第３実施形態によるジャック用コネクタを示す図であって、図１１Ａはコネクタの斜視図、図１１Ｂはコネクタの一部切り欠き斜視図、図１１Ｃは図１１Ｂに示すＸＩＣ線断面図、及び図１１Ｄは図１１Ｂに示すＸＩＤ線断面図である。
【図１２】  図１２Ａ、１２Ｂ、１２Ｃ及び１２Ｄはそれぞれ、本発明の第４実施形態によるジャック用コネクタを示す図であって、図１２Ａはコネクタの斜視図、図１２Ｂはコネクタの一部切り欠き斜視図、図１２Ｃは図１２Ｂに示すＸＩＩＣ線断面図、及び図１２Ｄは図１２Ｂに示すＸＩＩＤ線断面図である。
【図１３】  図１３Ａ、１３Ｂ、１３Ｃ及び１３Ｄはそれぞれ、本発明の第５実施形態によるジャック用コネクタを示す図であって、図１３Ａはコネクタの斜視図、図１３Ｂはコネクタの一部切り欠き斜視図、図１３Ｃは図１３Ｂに示すＸＩＩＩＣ線断面図、及び図１３Ｄは図１３Ｂに示すＸＩＩＩＤ線断面図である。
【図１４】  図１４Ａ及び１４Ｂはそれぞれ本発明の第３実施形態によるプラグ用コネクタを示す図であって、図１４Ａはコネクタの斜視図、図１４Ｂはコネクタの一部切り欠き斜視図である。
【図１５】  図１５Ａ及び１５Ｂはそれぞれ本発明の第３実施形態によるジャック用コネクタを示す図であって、図１５Ａはコネクタの斜視図、図１５Ｂはコネクタの一部切り欠き斜視図である。
【図１６】  図１６Ａ及び１６Ｂはそれぞれ本発明の第４実施形態によるジャック用コネクタを示す図であって、図１６Ａはコネクタの斜視図、図１６Ｂはコネクタの一部切り欠き斜視図である。
【図１７】  図１７Ａ及び１７Ｂはそれぞれ本発明の第５実施形態によるプラグ用コネクタを示す図であって、図１７Ａはコネクタの斜視図、図１７Ｂはコネクタの一部切り欠き斜視図である。
【国際調査報告】
2003065512.tif 000041
2003065512.tif 000042
2003065512.tif 000043
2003065512.tif 000044